(57)【要約】【課題】本発明は、ビットレートの異なる光信号が波長分割多重された波長分割多重信号をビットレートに応じて分離し、それぞれ個別に処理する波長分割多重伝送システムを提供する。【解決手段】奇数チャネル群に低速のビットレート信号が配置され、偶数チャネル群に高速のビットレート信号が配置された波長分割信号は、不等帯域幅インタリーバ１０により、低速信号群と高速信号とに分波される。低速信号群は、低速信号に適した光デバイスにより処理（例えば分波、分散補償等）され、高速信号群は、高速信号に適した光デバイスにより処理される。これにより、比較的高価で高機能な光デバイスを高速信号側にのみ適用できるので、装置コストの増大を抑制することができる。また、各信号に適したスペックのデバイスを使用できる。【選択図】図１
2005065019.tif 000002
【特許請求の範囲】
【請求項１】
偶数チャネル群および奇数チャネル群のいずれか一方の第１チャネル群と、他方の第２チャネル群とを有し、前記第１チャネル群の各チャネルには、信号帯域幅が相対的に大きい第１光信号が割り当て可能であり、前記第２チャネル群の各チャネルには、信号帯域幅が相対的に小さい第２光信号が割り当て可能であり、前記偶数チャネル群には前記第１光信号または第２光信号が割り当てられ、前記第２チャネル群には前記第２光信号が割り当てられる波長分割多重信号を伝送する波長分割多重伝送システムであって、
分波モジュール部および合波モジュール部の少なくとも一方を有し、
前記分波モジュール部は、
入力される前記波長分割多重信号を前記第１チャネル群の光信号と前記第２チャネル群の光信号とに分波して出力する第１インタリーブフィルタ部と、
前記第１インタリーブフィルタ部からの前記第１チャネル群の光信号を分波して出力する第１分波部と、
を備え、
前記合波モジュール部は、
入力される複数の前記第１光信号または前記第２光信号を前記第１チャネル群の光信号に合波して出力する第１合波部と、
前記第１合波部からの前記第１チャネル群の光信号と、複数の前記第２光信号が前記第２チャネル群に配置された光信号とを入力し、これら２つの光信号を合波して前記波長分割多重信号を生成し出力する第２インタリーブフィルタ部と、
を備える波長分割多重伝送システム。
【請求項２】
請求項１において、
前記分波モジュール部は、前記第１インタリーブフィルタ部からの前記第２チャネル群の光信号を各波長の光信号に分波して出力する第２分波部をさらに備える、波長分割多重伝送システム。
【請求項３】
請求項１において、
前記合波モジュール部は、入力される複数の前記第２光信号を合波して、前記第２チャネル群の光信号を生成し出力する第２合波部をさらに備える、波長分割多重伝送システム。
【請求項４】
請求項１において、
前記第１インタリーブフィルタ部は、前記第１チャネル群の光信号を出力する第１ポートおよび前記第２チャネル群の光信号を出力する第２ポートを有し、
前記第１ポートおよび第２ポートのそれぞれは、光を透過する透過帯域の帯域幅と光を透過しない不透過帯域の帯域幅とが異なり、前記第１ポートの透過帯域が前記第１光信号の信号帯域と略一致し、前記第２ポートの透過帯域が前記第２光信号の信号帯域と略一致するように設定されている、
波長分割多重伝送システム。
【請求項５】
請求項４において、
前記第１チャネル群を構成する各チャネルには、前記第１光信号が配置され、
前記分波モジュール部は、前記第１インタリーブフィルタ部の前記第１ポートと前記第１分波部との間に可変もしくは固定の分散補償器または可変もしくは固定の分散スロープ補償器をさらに備える、
波長分割多重伝送システム。
【発明の詳細な説明】
【技術分野】
【０００１】
本発明は、信号帯域幅（例えばビットレート）の異なる光信号が波長分割多重された波長分割多重信号を信号帯域幅（ビットレート）に応じて分離し、それぞれ個別に処理する波長分割多重伝送システムおよび中継ノード（補償ノード）に関する。
【背景技術】
【０００２】
近年、波長分割多重（ＷＤＭ：Wavelength Division Multiplex）伝送システムの大容量化が進んでいる。大容量化の手法としては、多重化される波長数の増加および各波長の信号の伝送速度（ビットレート）の高速化の手法がとられる。このうち、ビットレートについては、現在、１０Ｇｂｉｔ／ｓのＷＤＭ伝送システムが既に実用化されており、４０Ｇｂｉｔ／ｓの光伝送システムの研究・開発が進められている。
【０００３】
しかしながら、４０Ｇｂｉｔ／ｓのＷＤＭ伝送システムの導入にあたっては、導入コストやインサービスでのアップグレードという観点から、多重化される波長の全てを一度に４０Ｇｂｉｔ／ｓのビットレートに切り替えるのではなく、既存の１０Ｇｂｉｔ／ｓのＷＤＭ伝送システムの一部の波長のビットレートを１０Ｇｂｉｔ／ｓから４０Ｇｂｉｔ／ｓに切り替えるか、あるいは、既存の１０Ｇｂｉｔ／ｓのＷＤＭ伝送システムの空いているチャネルに４０Ｇｂｉｔ／ｓのビットレートの光信号を増設するといった部分的なアップグレードが考えられている。つまり、１０Ｇｂｉｔ／ｓと４０Ｇｂｉｔ／ｓが混載されたシステムへのアップグレードが考えられている。
【０００４】
また、多重化される波長数の増加に伴い、光信号の波長間隔は高密度化され、現在、１０Ｇｂｉｔ／ｓのシステムでは、隣接する光信号の波長間隔（周波数間隔）が５０ＧＨｚのシステムが製品化されており、４０Ｇｂｉｔ／ｓのシステムでは１００ＧＨｚの波長間隔（周波数間隔）の利用が検討されている。
【０００５】
この高密度化においては、アレー導波路型回折格子（ＡＷＧ：Arrayed Waveguide Grating）フィルタや多層膜フィルタによる１：Ｎチャネルの光合分波モジュールにて合分波された光を、インタリーバを用いてさらに合分波する方法が採られることが多い。この高密度化の指標には、単位周波数当たりのビットレートを示す周波数利用効率が用いられる。ビットレートが１０Ｇｂｉｔ／ｓで周波数間隔が５０ＧＨｚのＷＤＭ伝送システムでは、周波数利用効率が０．２ｂｉｔ／ｓ／Ｈｚ（＝１０Ｇｂｉｔ／ｓ÷５０ＧＨｚ）となり、ビットレートが４０Ｇｂｉｔ／ｓで周波数間隔が１００ＧＨｚのＷＤＭ伝送システムでは、周波数利用効率は０．４ｂｉｔ／ｓ／Ｈｚ（＝４０Ｇｂｉｔ／ｓ÷１００ＧＨｚ）となる。
【０００６】
なお、インタリーバとは、ある波長間隔の信号群を奇数チャネルと偶数チャネルとに分波して２倍の波長間隔を持つ信号群にするか、または、その逆に、奇数チャネルと偶数とを合波して１／２の波長間隔の信号群にする機能を有する光合分波器である（例えば、非特許文献１参照）。
【０００７】
アップグレード前のシステム、つまり５０ＧＨｚ間隔で１０Ｇｂｉｔ／ｓの光信号を波長分割多重して伝送するシステムにおいて、任意のチャネルを１０Ｇｂｉｔ／ｓから４０Ｇｂｉｔ／ｓに変更した場合、この波長分割多重信号（ＷＤＭ信号）を、通常の５０ＧＨｚ／１００ＧＨｚ間隔のインタリーバにより合分波すると、伝送品質が劣化するという問題がある。これは、４０Ｇｂｉｔ／ｓの光信号のスペクトル幅（帯域幅）が１０Ｇｂｉｔ／ｓの光信号のそれよりも広い（例えば４倍広い）ため、４０Ｇｂｉｔ／ｓの信号成分が隣接チャネルにもれ込み（クロストーク）、また、４０Ｇｂｉｔ／ｓの信号のスペクトル自身もインタリーバによって帯域の制限を受けるからである。したがって、任意のチャネルを４０Ｇｂｉｔ／ｓにアップグレードすることは難しい。
【０００８】
また、４０Ｇｂｉｔ／ｓ伝送で用いられる１００ＧＨｚ／２００ＧＨｚ間隔のインタリーバを用いた場合、クロストークや伝送品質の問題は生じないものの、１０Ｇｂｉｔ／ｓの光信号も１００ＧＨｚ間隔で伝送されるために、周波数利用効率が０．２５ｂｉｔ／ｓ／Ｈｚと低くなり、アップグレードの効果がないという問題がある。
【０００９】
さらに、任意のチャネルを４０Ｇｂｉｔ／ｓにアップグレードするということは、どのチャネルが４０Ｇｂｉｔ／ｓに変更されても、十分な信号品質が確保されるようにするために、結局、１０Ｇｂｉｔ／ｓのチャネルを含む全チャネルに対して、４０Ｇｂｉｔ／ｓ用のデバイス（例えば合分波器、インタリーバ、波長分散分散補償器、偏波分散補償器等）を設けておく必要があることとなる。
【００１０】
これらのデバイスについては、４０Ｇｂｉｔ／ｓの信号スペクトルが１０Ｇｂｉｔ／ｓに比べて通常４倍広がることから、１０Ｇｂｉｔ／ｓ用デバイスよりも、４０Ｇｂｉｔ／ｓ用デバイスの方が、要求されるスペック（透過特性、分散特性等）は厳しくなる。このため、４０Ｇｂｉｔ／ｓ用デバイスの方が、高性能・高スペックのものが要求され、コストは高くなる。
【００１１】
例えば、図３４.Ａは、４０Ｇｂｉｔ／ｓの高速用合分波器および１０Ｇｂｉｔ／ｓの低速用合分波器の透過特性を示しているが、高速用合分波器の方が低速用合分波器よりも高い平坦性およびエッジの垂直性が求められ、その分、価格は高くなる。また、図３４.Ｂは、高速用合分波器および低速分波器の双方に４０Ｇｂｉｔ／ｓ信号（高速信号）を入力した場合の中心波長のズレに対するＱ値（Q Factor）劣化を示しているが、高速用合分波器の方が低速用合分波器よりもＱ値劣化が小さい。換言すると、高速用合分波器には、Ｑ値劣化を小さくするための高性能・高スペックなものが使用されており、したがって、高速用合分波器の方がデバイスコストは高くなる。
【００１２】
したがって、全チャネルに対して、４０Ｇｂｉｔ／ｓ用のデバイスを設けておくことは、コスト的に好ましくなく、また、１０Ｇｂｉｔ／ｓ信号に対して、４０Ｇｂｉｔ／ｓ用デバイスを使用することは、オーバースペックとなり、この点でも、余計なコストが発生することになる。
【非特許文献１】鬼頭他著  ＰＬＣフィルタ合成論とインターリーブ・フィルタへの応用、NTT R&D Vol.50 No.4, pp281-287, 2001
【発明の開示】
【発明が解決しようとする課題】
【００１３】
本発明は、高機能デバイスによるコスト上昇を抑制可能な、異なるビットレート光信号が混載された波長分割多重伝送システムを提供することを目的とする。また、本発明は、高機能デバイスおよび各種補償デバイスによるコスト上昇を抑制可能な、異なるビットレートの光信号が混載された波長分割多重伝送システムを提供することを目的とする。さらに、本発明は、それぞれのビットレートに最適な波長及び偏波モード分散補償方法を適用可能な、異なるビットレートの光信号が混載された波長分割多重伝送システムを提供することを目的とする。
【課題を解決するための手段】
【００１４】
本発明は、信号帯域幅（例えばビットレート）の異なる光信号が波長分割多重された波長分割多重信号を信号帯域幅（ビットレート）に応じて分離し、それぞれ個別に処理する波長分割多重伝送システムを提供する。
【００１５】
本発明による波長分割多重伝送システムは、偶数チャネル群および奇数チャネル群のいずれか一方の第１チャネル群と、他方の第２チャネル群とを有し、前記第１チャネル群の各チャネルには、信号帯域幅が相対的に大きい第１光信号が割り当て可能であり、前記第２チャネル群の各チャネルには、信号帯域幅が相対的に小さい第２光信号が割り当て可能であり、前記偶数チャネル群には前記第１光信号または第２光信号が割り当てられ、前記第２チャネル群には前記第２光信号が割り当てられる波長分割多重信号を伝送する波長分割多重伝送システムであって、分波モジュール部および合波モジュール部の少なくとも一方を有し、前記分波モジュール部は、入力される前記波長分割多重信号を前記第１チャネル群の光信号と前記第２チャネル群の光信号とに分波して出力する第１インタリーブフィルタ部と、前記第１インタリーブフィルタ部からの前記第１チャネル群の光信号を分波して出力する第１分波部と、を備え、前記合波モジュール部は、入力される複数の前記第１光信号または前記第２光信号を前記第１チャネル群の光信号に合波して出力する第１合波部と、前記第１合波部からの前記第１チャネル群の光信号と、複数の前記第２光信号が前記第２チャネル群に配置された光信号とを入力し、これら２つの光信号を合波して前記波長分割多重信号を生成し出力する第２インタリーブフィルタ部と、を備える。
【００１６】
本発明による中継ノードは、偶数チャネル群および奇数チャネル群のいずれか一方の第１チャネル群と、他方の第２チャネル群とを有し、前記第１チャネル群の各チャネルには、信号帯域幅が相対的に大きい第１光信号が割り当て可能であり、前記第２チャネル群の各チャネルには、信号帯域幅が相対的に小さい第２光信号が割り当て可能であり、前記偶数チャネル群には前記第１光信号または第２光信号が割り当てられ、前記第２チャネル群には前記第２光信号が割り当てられる波長分割多重信号を伝送する中継ノードであって、分波モジュール部および合波モジュール部を有し、前記分波モジュール部は、入力される前記波長分割多重信号を前記第１チャネル群の光信号と前記第２チャネル群の光信号とに分波して出力する第１インタリーブフィルタ部と、前記第１インタリーブフィルタ部からの前記第１チャネル群の光信号を分波して出力する第１分波部と、を備え、前記合波モジュール部は、前記第１分波部からの光信号を前記第１チャネル群の光信号に合波して出力する第１合波部と、前記第１合波部からの前記第１チャネル群の光信号と、複数の前記第２光信号が前記第２チャネル群に配置された光信号とを入力し、これら２つの光信号を合波して前記波長分割多重信号を生成し出力する第２インタリーブフィルタ部と、を備える。
【発明の効果】
【００１７】
本発明によると、第１チャネル群には、相対的に大きな信号帯域幅を有する第１光信号または相対的に小さな信号帯域幅を有する第２光信号が割り当てられる。例えば、第１光信号は、第２光信号よりも高速のビットレートの信号である。第２チャネル群には、第２光信号が割り当てられる。第１チャネル群の光信号および第２チャネル群の光信号は、第１インタリーブフィルタ部により分離され、第１チャネル群の光信号は、第１分波部により分波される。
【００１８】
したがって、第１分波部または第１分波のうち、第１チャネル群に含まれる第１光信号を処理する部分にのみ、第１光信号の処理に適したデバイス（例えば信号帯域が大きい（ビットレートが大きい）分、高性能ないし高機能なデバイスを使用することができ、第２チャネル群（および第１チャネルに含まれる第２光信号）を処理する部分には、第１光信号用とは異なる、第２光信号の処理に適したデバイスを使用することができる。これにより、コスト上昇を抑制した、異なるビットレート光信号が混載された波長分割多重伝送システムを提供することができる。また、高機能デバイスおよび各種補償デバイスによるコスト上昇を抑制した、異なるビットレートの光信号が混載された波長分割多重伝送システムを提供することができる。さらに、第１光信号および第２光信号を個別に処理できるので、それぞれのビットレートに最適な波長および偏波モード分散補償方法を適用できる。
【発明を実施するための最良の形態】
【００１９】
以下に、本発明の実施例を図面に従い説明する。なお、以下に示す実施例は本発明の理解のためのものであり、本発明の適用は、これらの実施例に限定されるものではない。
【実施例１】
【００２０】
図１は、本発明の第１の実施形態による光伝送ノードの構成を示すブロック図である。この光伝送ノードは、例えば、波長分割多重（ＷＤＭ）伝送システムに設けられる中継ノードであり、分波モジュール１および合波モジュール２を有する。本実施形態では、一例として、中継ノードについて説明するが、本発明はＷＤＭ伝送システムの中継ノードだけでなく、ＷＤＭ伝送システムの送信端局または受信端局に適用することもできる。例えば、送信端局では、合波モジュール２のみが設けられ、受信端局では、分波モジュール１のみが設けられる。この送信端局または受信端局に適用可能なことは、以下の第２の実施形態から第１２の実施形態についても同様である。
【００２１】
分波モジュール１は、不等帯域幅インタリーバ（インタリーブフィルタ）１０、低速分波部１１、および高速分波部１２を有する。低速分波部１１は、低速信号用の分波器１１０を有する。高速分波部１２は、高速信号用のインタリーバ（インタリーブフィルタ）１２１〜１２３および高速信号用の分波器１２０ａ〜１２０ｄを有する。合波モジュール２は、不等帯域幅インタリーバ（インタリーブフィルタ）２０、低速合波部２１、および高速合波部２２を有する。低速合波部２１は、低速信号用の合波器２１０を有する。高速合波部２２は、高速信号用のインタリーバ（インタリーブフィルタ）２２１〜２２３および高速信号用の合波器２２０ａ〜２２０ｄを有する。
【００２２】
これら各構成要素について詳細に説明する前に、分波モジュール１に入力され、合波モジュール２から出力される波長分割多重された光信号（以下「ＷＤＭ信号」という。）の一例としてのＷＤＭ信号Ｗ０について説明する。
【００２３】
図２は、ＷＤＭ信号Ｗ０を構成する各波長の光信号の配置を示している。横軸は、周波数軸である。周波数ｆ１、ｆ２、…は、ＩＴＵ−Ｔ勧告で規定された周波数間隔５０ＧＨｚ（Ｆ＝５０ＧＨｚ）のグリッド（以下「ＩＴＵ−Ｔグリッド」という。）である。
【００２４】
ＷＤＭ信号Ｗ０は、低速信号（狭帯域信号）の一例としての１０Ｇｂｉｔ／ｓ信号と、高速信号（広帯域信号）の一例としての４０Ｇｂｉｔ／ｓ信号とが混載されたＷＤＭ信号である。１０Ｇｂｉｔ／ｓ信号は、奇数チャネルに配置され、４０Ｇｂｉｔ／ｓ信号は、偶数チャネルに配置されている。本実施形態では、一例として、偶数チャネルおよび奇数チャネルともに、４４チャネル分が設けられている。チャネルｃｈ１の光信号が周波数ｆ１に、チャネルｃｈ２の光信号が周波数ｆ２に、それぞれ配置される。チャネルｃｈ３以降のチャネルも、順次周波数ｆ３以降のＩＴＵ−Ｔグリッドに配置される。
【００２５】
なお、ここでは、奇数チャネルに低速信号を割り当て、偶数チャネルに高速信号を割り当てているが、これとは逆に、奇数チャネルに高速信号を、偶数チャネルに低速信号を、それぞれ割り当ててもよい。
【００２６】
このＷＤＭ信号Ｗ０では、隣接する１０Ｇｂｉｔ／ｓ信号と４０Ｇｂｉｔ／ｓ信号が重ならないように、１０Ｇｂｉｔ／ｓ信号の透過帯域幅（スペクトル幅）Ｆ１は２５ＧＨｚに設定され、４０Ｇｂｉｔ／ｓ信号の透過帯域幅（スペクトル幅）Ｆ２は７５ＧＨｚに設定されている。
【００２７】
ここで、従来の技術の欄で説明したように、現在製品化されている１０Ｇｂｉｔ／ｓのＷＤＭ伝送システムでは、一般に、１０Ｇｂｉｔ／ｓ信号の透過帯域幅が５０ＧＨｚである。また、研究・開発が進められている４０Ｇｂｉｔ／ｓのＷＤＭ伝送システムでは、一般に、４０Ｇｂｉｔ／ｓ信号の透過帯域幅として１００ＧＨｚが検討されている。
【００２８】
一方、本実施形態では、１０Ｇｂｉｔ／ｓ信号に２５ＧＨｚ、４０Ｇｂｉｔ／ｓ信号に７５ＧＨｚというように、より狭い帯域幅が与えられている。しかし、以下の理由（１）〜（３）により、この帯域幅でも、十分な品質の光信号を伝送することができる。
【００２９】
（１）４０Ｇｂｉｔ／ｓのＮＲＺ（Non Return to Zero）変調方式の信号のスペクトル幅（帯域幅）は約６０ＧＨｚであり、１０Ｇｂｉｔ／ｓのＮＲＺ信号は約１５ＧＨｚである。したがって、４０Ｇｂｉｔ／ｓ信号の帯域幅を７５ＧＨｚとし、１０Ｇｂｉｔ／ｓ信号の帯域幅を２５ＧＨｚとしても、これらの信号を、品質劣化の少ない状態で十分伝送することができる。
【００３０】
（２）図３.Ａは、４０Ｇｂｉｔ／ｓのＷＤＭ伝送システムにおいて、光信号間の周波数間隔（波長間隔）を５０ＧＨｚ、７５ＧＨｚ、および１００ＧＨｚに変化させた場合のフィルタ帯域幅とＱ値（Quality Factor）との関係を示すグラフである。このグラフから分かるように、波長間隔およびフィルタ帯域幅がともに７５ＧＨｚでは、隣接チャネルのクロストークおよびフィルタの帯域制限によるＱ値劣化が、周波数間隔１００ＧＨｚの場合に対して０．３ｄＢ以下である。したがって、周波数間隔が７５ＧＨｚであっても、１００ＧＨｚの場合と比べ遜色のない品質で信号を伝送することができる。
【００３１】
（３）例えば、Akira Miura他著の論文“25GHz-spaced 10Gbps x 160 channels, 3000 km E-LEAF transmission experiment by using dispersion management to mitigate XPM-induced waveform distortion”（WA2、OAA2003）では、２５ＧＨｚ間隔の１０Ｇｂｉｔ／ｓのＮＲＺ方式のＷＤＭ信号の伝送が実現されている。
【００３２】
以上から、本実施形態では、１０Ｇｂｉｔ／ｓの光信号および４０Ｇｂｉｔ／ｓの光信号を、それぞれ２５ＧＨｚおよび７５ＧＨｚの帯域幅で伝送することとする。
【００３３】
一方、この信号配置によると、各光信号をＩＴＵ−Ｔグリッドに配置して伝送できるという利点がある。また、ＷＤＭ信号Ｗ０では、図３.Ｂに示すように、１０Ｇｂｉｔ／ｓと４０Ｇｂｉｔ／ｓとを混載することにより、周波数利用効率が０．５Ｇｂｉｔ／ｓ／Ｈｚとなり、４０Ｇｂｉｔ／ｓの信号を１００ＧＨｚの帯域幅で伝送した場合の周波数利用効率０．４Ｇｂｉｔ／ｓ／Ｈｚよりも高い周波数利用効率を達成できるという利点もある。
【００３４】
なお、ＩＴＵ−Ｔグリッド間隔（Ｆ＝５０ＧＨｚ）≧｛１０Ｇｂｉｔ／ｓ信号の透過帯域幅（Ｆ１＝２５ＧＨｚ）＋４０Ｇｂｉｔ／ｓ信号の透過帯域幅（Ｆ２＝７５ＧＨｚ）｝÷２の関係が成立するので、１０Ｇｂｉｔ／ｓ信号と４０Ｇｂｉｔ／ｓ信号とが隣接したＩＴＵ−Ｔグリッドに配置されても、クロストークの問題は少ない。
【００３５】
また、図２から明らかなように、４０Ｇｂｉｔ／ｓ信号が配置される偶数チャネルには、１０Ｇｂｉｔ／ｓ信号を配置することもできる。すなわち、偶数チャネルには、４０Ｇｂｉｔ／ｓ信号の信号帯域幅より小さな信号帯域幅を有する光信号を配置してもよい。したがって、偶数チャネルの全てに必ず４０Ｇｂｉｔ／ｓ信号を配置しなければならないというものではなく、アップグレードの過渡段階には、偶数チャネルの一部に４０Ｇｂｉｔ／ｓ信号が、残りに１０Ｇｂｉｔ／ｓ信号が、それぞれ配置されてもよい。
【００３６】
図１に戻って、不等帯域幅インタリーバ１０は、周波数間隔５０ＧＨｚで配置された光信号群（例えばＷＤＭ信号Ｗ０）を偶数チャネルと奇数チャネルとに分波して２倍の周波数間隔１００ＧＨｚで配置された２つの光信号群にする分波する分波器であって、出力ポートＰ１およびＰ２のそれぞれの透過帯域幅と不透過帯域幅とが等しくない（すなわち不等帯域幅の）分波器である。一般のインタリーバは、透過帯域幅と不透過帯域幅とが等しいが、不等帯域幅インタリーバ１０の透過帯域幅と不透過帯域幅とは等しくない。
【００３７】
図４は、不等帯域幅インタリーバ１０の透過特性およびＷＤＭ信号が不等帯域幅インタリーバ１０によりフィルタリングされる様子を示している。図４の透過特性のグラフの凸部は、光が透過する周波数帯域（透過帯域）を示し、グラフの凹部は、光が透過しない周波数帯域（不透過帯域、濾過帯域）を示している。
【００３８】
出力ポートＰ１では、透過帯域が２５ＧＨｚの帯域幅を有し、不透過帯域が７５ＧＨｚの帯域幅を有し、ともに１００ＧＨｚの周期で交互に繰り返される。透過帯域の中心周波数は、奇数チャネルの周波数と一致するように調整（設定）される。出力ポートＰ２では、透過帯域が７５ＧＨｚの帯域幅を有し、不透過帯域が２５ＧＨｚの帯域幅を有し、ともに１００ＧＨｚの周期で交互に繰り返される。透過帯域の中心周波数は、偶数チャネルの周波数と一致するように調整（設定）される。
【００３９】
このような透過特性を有する不等帯域幅インタリーバ１０により、出力ポートＰ１からは、ＷＤＭ信号Ｗ０のうち、奇数チャネルの１０Ｇｂｉｔ／ｓ信号からなる低速信号群Ｗ１が出力され、出力ポートＰ２からは、ＷＤＭ信号Ｗ０のうち、偶数チャネルの４０Ｇｂｉｔ／ｓ信号からなる高速信号群Ｗ２が出力される。すなわち、ＷＤＭ信号Ｗ０は、低速信号群Ｗ１と高速信号群Ｗ２とに分波される。分波後の低速信号群Ｗ１の各光信号および高速信号群Ｗ２の各光信号は、ともに１００ＧＨｚの周波数間隔を有する。
【００４０】
低速信号群Ｗ１は、低速分波部１１の低速信号用の分波器１１０に入力される。分波器１１０は、周波数間隔１００ＧＨｚの１対４４チャネルの分波器であり、公知のＡＷＧ（Arrayed Waveguide Ｇrating）フィルタや多層膜フィルタ等を使用することができる。分波器１１０により、低速信号群Ｗ１は、１０Ｇｂｉｔ／ｓの各波長の光信号に分波され、出力される。
【００４１】
一方、高速信号群Ｗ２は、高速分波部１２の高速信号用のインタリーバ１２１に入力される。インタリーバ１２１は、公知の１００ＧＨｚ／２００ＧＨｚインタリーバを使用することができ、入力される１００ＧＨｚの周波数間隔の高速信号群Ｗ２を、２００ＧＨｚの周波数間隔の奇数チャネルの信号群Ｗ２１と偶数チャネルの信号群Ｗ２２とに分波する。ここでの奇数チャネルは、図４におけるチャネルｃｈ２、ｃｈ６、ｃｈ１０、…（すなわち、ｉを１以上の整数とすると、チャネルｃｈ［４ｉ−２］）であり、奇数チャネルは、チャネルｃｈ４、ｃｈ８、ｃｈ１２、…（すなわちチャネルｃｈ［４ｉ］）である。信号群Ｗ２１はインタリーバ１２２に入力され、信号群Ｗ２２はインタリーバ１２３に入力される。
【００４２】
高速用のインタリーバ１２２および１２３は、ともに、公知の２００ＧＨｚ／４００ＧＨｚインタリーバを使用することができる。インタリーバ１２２は、入力される２００ＧＨｚの周波数間隔の信号群Ｗ２１を、４００ＧＨｚの周波数間隔の奇数チャネルの信号群Ｗ２１１と偶数チャネルの信号群Ｗ２１２とに分波する。ここでの奇数チャネルは、図４におけるチャネルｃｈ［８ｉ−６］であり、偶数チャネルは、チャネルｃｈ［８ｉ−２］である。
【００４３】
インタリーバ１２３も、同様にして、入力される２００ＧＨｚの周波数間隔の信号群Ｗ２２を、４００ＧＨｚの周波数間隔の奇数チャネルの信号群Ｗ２２１と偶数チャネルの信号群Ｗ２２２とに分波する。ここでの奇数チャネルは、図４におけるチャネルｃｈ［８ｉ−４］であり、偶数チャネルは、チャネルｃｈ［８ｉ］である。
【００４４】
高速信号群Ｗ２１１、Ｗ２１２、Ｗ２２１、Ｗ２２２は、分波器１２０ａ、１２０ｂ、１２０ｃ、１２０ｄにそれぞれ入力される。分波器１２０ａ〜１２０ｄは、周波数間隔は４００ＧＨｚの１対１１チャネルの分波器であり、公知のＡＷＧ（Arrayed Waveguide Ｇrating）フィルタや多層膜フィルタ等を使用することができる。分波器１２０ａ〜１２０ｄにより、高速信号群Ｗ２１１、Ｗ２１２、Ｗ２２１、Ｗ２２２は、それぞれ１１チャネルずつの４０Ｇｂｉｔ／ｓの各波長の光信号に分波され、出力される。
【００４５】
なお、高速分波部１２も、低速分波部１１と同様にして、１つの高速用の分波器（周波数間隔１００ＧＨｚ）により構成することもできるが、より良い透過特性によって、各光信号の劣化を少なくして分波するには、図１のように複数のインタリーバにより構成することが好ましい。
【００４６】
分波モジュール１から出力された１０Ｇｂｉｔ／ｓおよび４０Ｇｂｉｔ／ｓの各波長の光信号は、この中継ノードが光ＡＤＭ（Optical Add Drop Multiplexer）ノードの場合には、Add／Dropモジュール群３により、光信号のAddまたはDrop処理が行われた後、合波モジュール２に入力される。
【００４７】
低速合波部２１の低速信号用の合波器２１０には、分波器１１０からの１０Ｇｂｉｔ／ｓの各波長の光信号が入力される。合波器２１０は、４４対１チャネルの合波器であり、分波器１１０と入出力関係が逆になっているだけで、分波器１１０と同じデバイスを使用することができる。合波器２１０は、各波長の光信号を合波（多重）して、合波後の低速信号群Ｗ１０を不等帯域幅インタリーバ２０の一方の入力ポートＰ１に入力される。
【００４８】
一方、高速合波部２２の高速信号用の合波器２２０ａ〜２００ｄには、それぞれ、分波器１２０ａ〜１２０ｄからの４０Ｇｂｉｔ／ｓの各波長の光信号が入力される。合波器２２０ａ〜２２０ｄは、１１対１チャネルの合波器であり、分波器１２０ａ〜１２０ｄと入出力関係が逆になっているだけで、分波器１２０ａ〜１２０ｄと同じデバイスを使用することができる。合波器２２０ａおよび２２０ｂによりそれぞれ合波された光信号群は、インタリーバ２２２の２つの入力ポートにそれぞれ入力される。合波器２２０ｃおよび２２０ｄによりそれぞれ合波された光信号群はインタリーバ２２３の２つの入力ポートにそれぞれ入力される。
【００４９】
インタリーバ２２２は、インタリーバ１２２と入出力関係が逆になっているだけで、同じデバイスを使用することができる。したがって、インタリーバ２２２は、合波器２２０ａから入力された光信号群を奇数チャネルとし、合波器２２０ｂから入力された光信号群を偶数チャネルとして、２つの光信号群を合波し、１つの光信号群として出力する。出力された光信号群は、インタリーバ２２１の一方の入力ポートに入力される。
【００５０】
同様にして、インタリーバ２２３は、インタリーバ１２３と入出力関係が逆になっているだけで、同じデバイスを使用することができる。したがって、インタリーバ２２３は、合波器２２０ｃから入力された光信号群を奇数チャネルとし、合波器２２０ｄから入力された光信号群を偶数チャネルとして、２つの光信号群を合波し、１つの光信号群として出力する。出力された光信号群は、インタリーバ２２１の他方の入力ポートに入力される。
【００５１】
インタリーバ２２１は、インタリーバ１２１と入出力関係が逆になっているだけで、同じデバイスを使用することができる。したがって、インタリーバ２２１は、インタリーバ２２２から入力された光信号群を奇数チャネルとし、インタリーバ２２３から入力された光信号群を偶数チャネルとして、２つの光信号群を合波し、１つの高速光信号群Ｗ２０として出力する。出力された高速光信号群Ｗ２０は、不等帯域幅インタリーバ２０の他方の入力ポートＰ２に入力される。
【００５２】
不等帯域幅インタリーバ２０は、不等帯域幅インタリーバ１０と入出力関係が逆になっているだけで、同じ合分波特性を有する。すなわち、前述した図４に示すように、入力ポートＰ１の透過帯域幅および不透過帯域幅ならびに入力ポートＰ２の透過帯域幅および不透過帯域幅は、それぞれ不等間隔となり、入力ポートＰ１は、低速信号群Ｗ１０の１０Ｇｂｉｔ／ｓの各波長の信号成分をフィルタリングし、入力ポートＰ２は、高速信号群Ｗ２０の４０Ｇｂｉｔ／ｓの各波長の信号成分をフィルタリングする。そして、不等帯域幅インタリーバ２０は、両信号群群を信号群Ｗ０と同様の信号群に合波して出力する。
【００５３】
このように、本実施形態では、ＷＤＭ信号を低速信号群と高速信号群とに分けて、それぞれを合分波するので、低速信号群には低速信号に適した低速信号用デバイスを使用することができ、高速信号群には高速信号に適した高速信号用デバイスを使用することができる。これにより、すべての波長の信号に対して、高速信号用の高価なデバイスを設ける必要がなく、高速信号側にのみ高価なデバイスを設ければよいので、装置コストを抑制した１０Ｇｂｉｔ／ｓおよび４０Ｇｂｉｔ／ｓの混載した光伝送システムを実現することができる。また、低速信号に対してオーバースペックのデバイスを使用することを回避できる。
【００５４】
さらに、本構成を用いることにより、当初１０Ｇｂｉｔ／ｓ、１００ＧＨｚ間隔の光伝送システムを導入し、それを５０ＧＨｚ間隔に増設する場合で、かつ、１０Ｇｂｉｔ／ｓと４０Ｇｂｉｔ／ｓどちらを増設するか初期導入時には未定の場合でも、１０Ｇｂｉｔ／ｓを増設する場合には低速用の光合分波器を用い、４０Ｇｂｉｔ／ｓを増設する場合にのみ高性能の高速用光合分波器を用いればよいので拡張性にも優れている。
【実施例２】
【００５５】
図５は、本発明の第２の実施形態による光伝送ノードの構成を示すブロック図である。この光伝送ノードは、分波モジュール１ａおよび合波モジュール２ａを有する。
【００５６】
分波モジュール１ａは、不等帯域幅インタリーバ１０ａ、低速分波部１１ａ、および高速分波部１２ａを有する。低速分波部１１ａは、低速信号用の分波器１１０ａおよび１１０ｂを有する。高速分波部１２ａは、高速信号用のインタリーバ１２２および１２３ならびに高速信号用の分波器１２０ａ〜１２０ｄを有する。インタリーバ１２２および１２３ならびに分波器１２０ａ〜１２０ｄは、図１の同じ符号のものと同じである。
【００５７】
合波モジュール２ａは、不等帯域幅インタリーバ２０ａ、低速合波部２１ａ、および高速合波部２２ａを有する。低速合波部２１ａは、低速信号用の合波器２１０ａおよび２１０ｂを有する。高速合波部２２ａは、高速信号用のインタリーバ２２２および２２３ならびに高速信号用の合波器２２０ａ〜２２０ｄを有する。インタリーバ１２２および１２３ならびに分波器１２０ａ〜１２０ｄは、図１の同じ符号のものと同じである。
【００５８】
分波モジュール１ａの不等帯域幅インタリーバ１０ａに入力されるＷＤＭ信号は、第１の実施形態と同じものであり、図２に示す信号配置を有する。
【００５９】
不等帯域幅インタリーバ１０ａは、前述した不等帯域幅インタリーバ１０と同様に、出力ポートＰ１ａ〜Ｐ２ｂのそれぞれの透過帯域幅と不透過帯域幅とが異なる。図６.Ａは、分波モジュール１ａの不等帯域幅インタリーバ１０ａの一構成例を示すブロック図であり、図６.Ｂは、合波モジュール２ａの不等帯域幅インタリーバ２０ａの一構成例を示すブロック図である。
【００６０】
図６.Ａおよび図６.Ｂを比較すると明らかなように、分波モジュール１ａの不等帯域幅インタリーバ１０ａと合波モジュール２ａの不等帯域幅インタリーバ２０ａは、入出力関係を逆にすることで同様にして考えることができる。したがって、以下では、分波モジュール１ａの不等帯域幅インタリーバ１０ａの構成について詳細に述べることとし、合波モジュール２ａの不等帯域幅インタリーバ２０ａについては説明を省略する。
【００６１】
不等帯域幅インタリーバ１０ａは、インタリーバ５１〜５３を有する。インタリーバ５１〜５３は、公知のインタリーバを使用することができ、入力される１００ＧＨｚ間隔のＷＤＭ信号を、２００ＧＨｚ間隔の偶数チャネルの光信号群と奇数チャネルの光信号群とに分波（あるいは、入出力関係を逆にすることにより、２００ＧＨｚ間隔の偶数チャネルおよび奇数チャネルの光信号群を、１００ＧＨｚ間隔のＷＤＭ信号に合波）する機能を有する光合分波器である。
【００６２】
図７は、インタリーバ５１を単体で使用した場合のポート（出力ポート）Ａ１側の透過特性（グラフＡ１）、インタリーバ５２を単体で使用した場合のポートＢ１側の透過特性（グラフＢ１）、インタリーバ２を単体で使用した場合のポートＢ２側の透過特性（グラフＢ２）、インタリーバ１のポートＡ１をインタリーバ２のポートＢ０に接続して使用した場合のインタリーバ２のポートＢ１側の透過特性（グラフＡ１∧Ｂ１）、およびインタリーバ１のポートＡ１をインタリーバ２のポートＢ０に接続して使用した場合のインタリーバ２のポートＢ２側の透過特性（グラフＡ１∧Ｂ２）を示している。各グラフにおいて、横軸は周波数を示し、縦軸は光の透過率を示している。
【００６３】
なお、図示は省略するが、インタリーバ５３も、インタリーバ５２と同じ透過特性を有する。
【００６４】
インタリーバ５１〜５３の透過帯域および不透過帯域は、ともに１００ＧＨｚの帯域幅を有し、２００ＧＨｚの周期で交互に繰り返される。
【００６５】
グラフＢ１およびＢ２から明らかなように、インタリーバ５２の２つのポート（出力ポート）Ｂ１およびＢ２は、相互に逆の透過特性を有する。同様にして、インタリーバ５１のポート（出力ポート）Ａ１およびＡ２は、相互に逆の透過特性を有し、インタリーバ５３のポートＣ１およびＣ２は、相互に逆の透過特性を有する。
【００６６】
グラフＡ１に示すように、インタリーバ５１のポートＡ１側の透過帯域の中心周波数は、ＩＴＵ−Ｔグリッドの周波数ｆ２、ｆ６、…（２００ＧＨｚ間隔）に対して、周波数の低い側に１２．５ＧＨｚ（すなわち−１２．５ＧＨｚ）だけシフトしている（換言すると、周波数ｆ１、ｆ５、…に対しては、周波数の高い側に３７．５ＧＨｚ（すなわち＋３７．５ＧＨｚ）だけシフトしている）。ここで、シフト量Ｓは、−５０ＧＨｚ＜Ｓ＜５０ＧＨｚとする。
【００６７】
同様にして、インタリーバ５１のポートＡ１側の不透過帯域の中心周波数は、周波数ｆ４、ｆ８、…（２００ＧＨｚ間隔）に対して、−１２．５ＧＨｚだけシフトしている（換言すると、周波数ｆ３、ｆ７、…に対しては、周波数の高い側に３７．５ＧＨｚ（すなわち＋３７．５ＧＨｚ）だけシフトしている）。
【００６８】
一方、グラフＢ１に示すように、インタリーバ５２のポートＢ１側の透過帯域の中心周波数は、ＩＴＵ−Ｔグリッドの周波数ｆ２、ｆ６、…に対して＋１２．５ＧＨｚだけシフトしている。インタリーバ５２のポートＢ１側の不透過帯域の中心周波数は、ＩＴＵ−Ｔグリッドの周波数ｆ４、ｆ８、…に対して＋１２．５ＧＨｚシフトしている。
【００６９】
このような中心周波数の位置決めは、インタリーバ５１〜５３の、例えば温度を調整することにより行うことができる。インタリーバ５１〜５３の温度調整には、サーモスタット等を使用することができる。
【００７０】
グラフＡ１∧Ｂ１に示すように、インタリーバ５１の出力ポートＡ１をインタリーバ５２の入力ポートＢ０に接続することによって、出力ポートＢ１の透過帯域はインタリーバ５１および５２双方の透過帯域の重複部分となり、出力ポートＢ１の不透過帯域はインタリーバ５１および５２の少なくとも一方の不透過帯域の部分となる。
【００７１】
このため、グラフＡ１∧Ｂ１の透過帯域幅は７５ＧＨｚとなり、不透過帯域幅は１２５ＧＨｚとなり、透過帯域の開始周波数（立ち上がりエッジ）がＩＴＵ−Ｔグリッドの周波数ｆ１、ｆ５、…（２００ＧＨｚ間隔）に対して＋１２．５ＧＨｚシフトする。
【００７２】
また、グラフＡ１∧Ｂ２に示すように、インタリーバ５１の出力ポートＡ１をインタリーバ５２の入力ポートＢ０に接続することにより、出力ポートＢ２の透過帯域幅は２５ＧＨｚ、不透過帯域幅は１７５ＧＨｚとなり、透過帯域の開始周波数（立ち上がりエッジ）がＩＴＵ−Ｔグリッドの周波数ｆ１、ｆ５、…（２００ＧＨｚ間隔）対して−１２．５ＧＨｚシフトする。
【００７３】
このように、透過帯域（不透過帯域）の中心周波数をＩＴＵ−Ｔグリッドからシフトさせたインタリーバを２つ直列に接続することにより、任意の開始周波数および任意の透過帯域幅を有するフィルタ（インタリーバ）を構成することができる。これにより、透過帯域幅と不透過帯域幅とが等しくない不等帯域幅インタリーバ（フィルタ）を構成することができる。
【００７４】
図８は、インタリーバ５１〜５３およびこれらインタリーバの組み合わせの透過特性ならびにインタリーバ５１の入力ポートＰ０に入力されるＷＤＭ信号Ｗ０がインタリーバ５１〜５３によりフィルタリングされる様子を示している。図８において、横軸は周波数を示している。
【００７５】
図８の最上段には、ＷＤＭ信号Ｗ０が示されている。
【００７６】
図８の第２段目のグラフＡ１、Ｂ１は、インタリーバ５１の出力ポートＡ１側の透過特性を実線で、インタリーバ５２のポートＢ１側の透過特性を破線で、それぞれ示している。第３段目のグラフＡ１∧Ｂ１は、図７を参照して説明したように、インタリーバ５１のポートＡ１をインタリーバ５２の入力ポートＢ０に接続した場合のインタリーバ５２の出力ポートＢ１側の透過特性を示している。他の第５段目のグラフＡ１、Ｂ２、第６段目のグラフＡ１∧Ｂ２についても同様である。
【００７７】
グラフＡ１∧Ｂ１の透過帯域は、７５ＧＨｚの帯域幅を有する４０Ｇｂｉｔ／ｓのチャネルｃｈ２、ｃｈ６、…（チャネルｃｈ［４ｉ−２］）が配置されたＩＴＵ−Ｔグリッド（周波数ｆ２、ｆ６、…）を中心として７５ＧＨｚの帯域幅を有する。また、グラフＡ１∧Ｂ２の透過帯域は、２５ＧＨｚの帯域幅を有する１０Ｇｂｉｔ／ｓのチャネルｃｈ１、ｃｈ５、…（チャネルｃｈ［４ｉ−３］）が配置されたＩＴＵ−Ｔグリッド（周波数ｆ１、ｆ５、…）を中心として２５ＧＨｚの帯域幅を有する。
【００７８】
したがって、ＷＤＭ信号Ｗ０がインタリーバ５１および５２を通過することにより、インタリーバ５２の出力ポートＢ１からは、図８のＷＤＭ信号Ｗ２ａに示すように、４０Ｇｂｉｔ／ｓのチャネルｃｈ［４ｉ−２］の光信号のみが出力され、また、インタリーバ５２の出力ポートＢ２からは、ＷＤＭ信号Ｗ１ａに示すように、１０Ｇｂｉｔ／ｓのチャネルｃｈ［４ｉ−３］の光信号のみが出力される。
【００７９】
グラフＡ２∧Ｃ１の透過帯域は、２５ＧＨｚの透過帯域幅を有する１０Ｇｂｉｔ／ｓのチャネルｃｈ３、ｃｈ７、…（チャネルｃｈ［４ｉ−１］）が配置されたＩＴＵ−Ｔグリッド（周波数ｆ３、ｆ７、…）を中心として２５ＧＨｚの帯域幅を有する。また、グラフＡ２∧Ｃ２の透過帯域は、７５ＧＨｚの透過帯域幅を有する４０Ｇｂｉｔ／ｓのチャネルｃｈ４、ｃｈ８、…（チャネルｃｈ［４ｉ］）が配置されたＩＴＵ−Ｔグリッド（周波数ｆ４、ｆ８、…）を中心として７５ＧＨｚの帯域幅を有する。
【００８０】
したがって、ＷＤＭ信号Ｗ０がインタリーバ１および３を通過することにより、インタリーバ３の出力ポートＣ１からは、ＷＤＭ信号Ｗ１ｂに示すように、ＷＤＭ信号Ｗ０のうち１０Ｇｂｉｔ／ｓのチャネルｃｈ［４ｉ−１］の光信号のみが出力され、また、インタリーバ５３の出力ポートＣ２からは、ＷＤＭ信号Ｗ２ｂに示すように、４０Ｇｂｉｔ／ｓのチャネルｃｈ［４ｉ］の光信号のみが出力される。
【００８１】
このように、４０Ｇｂｉｔ／ｓの光信号は、中心周波数がシフトした２つのインタリーバにより構成される通過帯域幅７５ＧＨｚの不等間隔インタリーバによってフィルタリングされる。また、１０Ｇｂｉｔ／ｓの光信号は、中心周波数がシフトした２つのインタリーバの組み合わせにより構成される透過帯域幅２５ＧＨｚの不等間隔インタリーバによりフィルタリングされる。したがって、４０Ｇｂｉｔ／ｓおよび１０Ｇｂｉｔ／ｓの各チャネルの信号は、いずれもクロストークや信号成分が除去される等の品質劣化の少ない状態で取り出される。
【００８２】
なお、図８の最下段には、グラフＡ１∧Ｂ１、Ａ１∧Ｂ２、Ａ２∧Ｃ１、およびＡ２∧Ｃ２を重ね合わせたグラフが示されている。
【００８３】
このように、インタリーバの中心周波数（中心波長）を調整することによって、１０Ｇｂｉｔ／ｓおよび４０Ｇｂｉｔ／ｓ混載システムに柔軟に対応することができる。また、光信号のビットレートが変更される場合にも、インタリーバの中心周波数を調整することによって柔軟に対応することができる。
【００８４】
なお、光信号の変調方式（ＮＲＺ方式、ＲＺ方式、ＣＳＲＺ方式等）が変更される場合にも、光信号の帯域幅が変化するが、この場合にも、ビットレートが変更される場合と同様にして柔軟に対応することができる。
【００８５】
図５に戻って、不等帯域幅インタリーバ１０ａのポートＢ１（インタリーバ５２のポートＢ１）、ポートＣ２（インタリーバ５３のポートＣ２）からそれぞれ出力された高速信号群Ｗ２ａ、Ｗ２ｂは、インタリーバ１２２、１２３にそれぞれ入力される。不等帯域幅インタリーバ１０ａのポートＢ２（インタリーバ５２のポートＢ２）、ポートＣ１（インタリーバ５３のポートＣ１）からそれぞれ出力された低速信号群Ｗ１ａ、Ｗ１ｂは、分波器１１０ａ、１００ｂにそれぞれ入力される。
【００８６】
分波器１１０ａおよび１１０ｂは、周波数間隔２００ＧＨｚ間隔の１対Ｎ１（Ｎ１＝２２）の分波器であり、公知のＡＷＧ（Arrayed Waveguide Ｇrating）フィルタや多層膜フィルタ等を使用することができる。分波器１１０ａおよび１００ｂにより、低信号群Ｗ１ａおよびＷ１ｂは、それぞれ１０Ｇｂｉｔ／ｓの各波長の光信号に分波され、必要に応じてモジュール３を介して、合波モジュール２に入力される。
【００８７】
一方、高速信号群Ｗ２ａおよびＷ２ｂは、インタリーバ１２２および１２３によりそれぞれ奇数チャネルと偶数チャネルとに分波された後、分波器１２０ａ〜１２０ｄに入力され、４０Ｇｂｉｔ／ｓの各波長の光信号に分波される。４０Ｇｂｉｔ／ｓの各波長の光信号は、必要に応じてモジュール３を介して、合波モジュール２に入力される。
【００８８】
合波モジュール２では、分波モジュール１とは入出力関係を逆にした処理が行われ、低速信号および高速信号がそれぞれ合波された後、不等帯域幅インタリーバ２０ａにより、低速信号および高速信号の混在したＷＤＭ信号に合波され、出力される。
【００８９】
本実施形態によっても、上記第１の実施形態と同様に、低速信号群には低速信号に適した低速信号用デバイスを使用することができ、高速信号群には高速信号に適した高速信号用デバイスを使用することができる。これにより、すべての波長の信号に対して、高速信号用の高価なデバイスを設ける必要がなく、高速信号側にのみ高価なデバイスを設ければよいので、装置コストを抑制した１０Ｇｂｉｔ／ｓおよび４０Ｇｂｉｔ／ｓの混載した光伝送システムを実現することができる。また、低速信号に対してオーバースペックのデバイスを使用することを回避できる。
【００９０】
さらに、本構成を用いることにより、当初１０Ｇｂｉｔ／ｓ、１００ＧＨｚ間隔の光伝送システムを導入し、それを５０ＧＨｚ間隔に増設する場合で、かつ、１０Ｇｂｉｔ／ｓと４０Ｇｂｉｔ／ｓどちらを増設するか初期導入時には未定の場合でも、１０Ｇｂｉｔ／ｓを増設する場合には低速用の光合分波器を用い、４０Ｇｂｉｔ／ｓを増設する場合にのみ高性能の高速用光合分波器を用いればよいので拡張性にも優れている。
【００９１】
なお、高速分波部１２は、周波数間隔２００ＧＨｚの１対Ｎ１（ここではＮ１＝２２）の２つの分波器で構成することもできる。
【００９２】
また、不等帯域幅インタリーバ１０ａ（２０ａ）は、図９.Ａ（９Ｂ）に示すように、カプラ６１ならびに狭帯域インタリーバ６２および６３により構成することもできる。
【００９３】
カプラ６１は、入力ポートＰ０に入力されたＷＤＭ信号Ｗ０を２つの出力ポートＡ１１およびＡ１２にそのまま出力する。出力されたＷＤＭ信号Ｗ０は、狭帯域インタリーバ６２の入力ポートＢ１０および狭帯域インタリーバ６３の入力ポートＣ１０に入力される。
【００９４】
狭帯域インタリーバ６２および６３は、１００ＧＨｚ間隔の光信号を偶数チャネルと奇数チャネルとに分離して、２００ＧＨｚ間隔のＷＤＭ信号にすると共に、内部に設けられた狭帯域フィルタにより所定の帯域幅の信号成分のみを通過させる（あるいは、入出力関係を逆にすることにより、該狭帯域フィルタにより所定の帯域幅の信号成分のみを通過させると共に、２００ＧＨｚ間隔の偶数チャネルおよび奇数チャネルのＷＤＭ信号を合波して１００ＧＨｚ間隔の光信号にする）インタリーバである。
【００９５】
このような狭帯域インタリーバは、例えば、入力されるＷＤＭ信号を構成する各光信号を所定の透過帯域幅でフィルタリングする狭帯域フィルタを公知のインタリーバに組み込むことにより構成することができる。
【００９６】
図１０は、インタリーバ６２および６３の透過特性ならびにＷＤＭ信号Ｗ０がインタリーバ６２および６３によりフィルタリングされる様子を示している。
【００９７】
グラフＢ１１は、狭帯域インタリーバ６２の出力ポートＢ１１側の透過特性を示し、グラフＢ１２は、狭帯域インタリーバ６２の出力ポートＢ１２側の透過特性を示している。内部に設けられた狭帯域フィルタにより、狭帯域インタリーバ６２の透過帯域の帯域幅は１００ＧＨｚから２５ＧＨｚに縮小され、不透過帯域の帯域幅は１００ＧＨｚから１７５ＧＨｚに拡張されている。
【００９８】
ポートＢ１１側の透過帯域の中心周波数は、ＩＴＵ−Ｔグリッドの周波数ｆ１、ｆ５、…に設定される。ポートＢ１２側の透過帯域の中心周波数は、ＩＴＵ−Ｔグリッドの周波数ｆ３、ｆ７、…に設定される。
【００９９】
グラフＣ１１は、狭帯域インタリーバ６３の出力ポートＣ１１側の透過特性を示し、グラフＣ１２は、狭帯域インタリーバ６３の出力ポートＣ１２側の透過特性を示している。狭帯域インタリーバ６３についても同様に、内部の狭帯域フィルタにより、出力ポートＣ１１側およびＣ１２側の透過帯域の帯域幅は１００ＧＨｚから７５ＧＨｚに縮小され、不透過帯域の帯域幅は１００ＧＨｚから１２５ＧＨｚに拡大されている。ポートＣ１１側の透過帯域の中心周波数は、ＩＴＵ−Ｔグリッドの周波数ｆ２、ｆ６、…に設定される。ポートＣ１２側の透過帯域の中心周波数は、ＩＴＵ−Ｔグリッドの周波数ｆ４、ｆ８、…に設定される。
【０１００】
このようなインタリーバ６２および６３を使用することによっても、不等帯域幅インタリーバを構成することができる。そして、出力ポートＢ１１（図５のポートＢ２）からはチャネルｃｈ［４ｉ−３］のＷＤＭ信号Ｗ１ａのみが出力され、出力ポートＢ１２（図５のポートＣ１）からはチャネルｃｈ［４ｉ−１］のＷＤＭ信号Ｗ１ｂのみが出力される。また、出力ポートＣ１１（図５のポートＢ１）からはチャネルｃｈ［４ｉ−２］のＷＤＭ信号Ｗ２ａのみが出力され、出力ポートＣ１２（図５のポートＣ２）からはチャネルｃｈ［４ｉ］のＷＤＭ信号Ｗ２ｂのみが出力される。
【実施例３】
【０１０１】
図１１は、本発明の第３の実施形態による光伝送ノードの構成を示すブロック図である。この光伝送ノードは、分波モジュール１ｂおよび合波モジュール２ｂを有する。
【０１０２】
分波モジュール１ｂは、不等帯域幅インタリーバ１０、低速分波部１１ｂ、および高速分波部１２ｂを有する。低速分波部１１ｂは、低速信号用の分波器１１０および１１１を有する。高速分波部１２ｂは、高速信号用のインタリーバ１２１および１２３ならびに高速信号用の分波器１２０ｃおよび１２０ｄを有する。合波モジュール２ｂは、不等帯域幅インタリーバ２０、低速合波部２１ｂ、および高速合波部２２ｂを有する。低速合波部２１ｂは、低速信号用の合波器２１０および２１１を有する。高速合波部２２ｂは、高速信号用のインタリーバ２２１および２２３ならびに高速信号用の合波器２２０ｃおよび２２０ｄを有する。
【０１０３】
ここで、不等帯域幅インタリーバ１０および２０、インタリーバ１２１，１２３、２２１、および２２３、分波器１１０、１２０ｃ、および１２０ｄ、ならびに合波器２１０、２２０ｃ、および２２０ｄは、図１に示す同じ符号を有するものと同じであるので、ここでは、その詳細な説明を省略する。
【０１０４】
図１２は、分波モジュール１ｂ（不等帯域幅インタリーバ１０）に入力されるＷＤＭ信号Ｗ３の信号配置例を示している。横軸および周波数ｆ１、ｆ２、…の意味は、図２と同じである。ＷＤＭ信号Ｗ３では、その３／４が１０Ｇｂｉｔ／ｓ信号であり、１／４が４０Ｇｂｉｔ／ｓ信号である点が、図２のＷＤＭ信号Ｗ０と異なる。このＷＤＭ信号Ｗ３では、４０Ｇｂｉｔ／ｓ信号はチャネルｃｈ［４ｉ］に配置され、１０Ｇｂｉｔ／ｓ信号はそれ以外のチャネルに配置されている。第１の実施形態でも説明したように、偶数チャネルｃｈ［２ｉ］のすべてに必ず４０Ｇｂｉｔ／ｓ信号が配置されなければならないわけではなく、図１２に示すように、偶数チャネルの一部に１０Ｇｂｉｔ／ｓ信号が配置されてもよい。
【０１０５】
ＷＤＭ信号Ｗ３が分波モジュール１ｂの不等帯域幅インタリーバ１０のポートＰ０に入力されると、ポートＰ１からは、奇数チャネルｃｈ［２ｉ−１］の１０Ｇｂｉｔ／ｓ信号群、すなわち低速信号群Ｗ１（図１の同じ符号の信号群と同じもの）が出力され、低速分波部１１ｂの低速信号用の分波器１１０に入力される。分波器１１０は、低速信号群Ｗ１を各波長の光信号に分波して出力する。
【０１０６】
一方、ポートＰ２からは、偶数チャネルｃｈ［２ｉ］の信号群Ｗ４が出力される。この偶数チャネルの信号群Ｗ４は、チャネルｃｈ［４ｉ−２］に１０Ｇｂｉｔ／ｓ信号が含まれ、チャネルｃｈ［４ｉ］に４０Ｇｂｉｔ／ｓ信号が含まれた、高速信号および低速信号の混載した信号群である。不等帯域幅インタリーバのポートＰ２の透過帯域幅は７５ＧＨｚであるので、この透過帯域幅以下の信号であれば、ポートＰ２から出力される。したがって、ポートＰ２からは、４０Ｇｂｉｔ／ｓ信号および１０Ｇｂｉｔ／ｓ信号の混載信号を出力することもできる。
【０１０７】
この信号群Ｗ４は、高速分波部１２ｂの高速信号用のインタリーバ１２１に入力され、１０Ｇｂｉｔ／ｓ信号のみからなる奇数チャネルｃｈ［４ｉ−２］の信号群と４０Ｇｂｉｔ／ｓ信号のみからなる偶数チャネルｃｈ［４ｉ］の信号群とに分波される。
【０１０８】
奇数チャネルｃｈ［４ｉ−２］の信号群は、低速分波部１１ｂの低速信号用の分波器１１１に入力され、各波長の光信号に分波され出力される。偶数チャネルｃｈ［４ｉ］の信号群は、インタリーバ１２３に入力され、さらに奇数チャネル［８ｉ−４］および偶数チャネルｃｈ［８ｉ］の信号群に分波される。これら奇数チャネルおよび偶数チャネルの信号群は、高速信号用の分波器１２０ｃおよび１２０ｄにそれぞれ入力される。分波器１２０ｃおよび１２０ｄでは、入力された信号群が各波長の光信号に分波され出力される。
【０１０９】
分波器１１０および１１１から出力された各波長の１０Ｇｂｉｔ／ｓ信号ならびに分波器１２０ｃおよび１２０ｄから出力された各波長の４０Ｇｂｉｔ／ｓ信号は、必要に応じてモジュール３を経由して合波モジュール２ｂに入力される。合波モジュール２ｂでは、分波モジュール１ｂと入出力関係を逆にした合波処理が行われ、各波長の光信号が合波され、１つのＷＤＭ信号として出力される。
【０１１０】
本実施形態の構成により、全チャネル数の最大１／４のチャネルを４０Ｇｂｉｔ／ｓ信号へアップグレードする場合、または、最大１／４のチャネルまで４０Ｇｂｉｔ／ｓ信号を増設する場合に、高速信号用の高性能光合分波器は４０Ｇｂｉｔ／ｓ信号の合分波部にのみ適用すればよいので、コストを抑制した１０Ｇｂｉｔ／ｓおよび４０Ｇｂｉｔ／ｓ混載の伝送システムを実現することができる。
【実施例４】
【０１１１】
本発明の第４の実施形態は、第３の実施形態の不等帯域幅インタリーバ１０および２０に、第２の実施形態で説明した不等帯域幅インタリーバ１０ａおよび２０ａ（図５、図６.Ａ、６Ｂ、図９.Ａ、９Ｂ）をそれぞれ使用した場合の光伝送ノードの実施形態である。
【０１１２】
図１３は、本発明の第４の実施形態による光伝送ノードの構成を示すブロック図である。この光伝送ノードは、分波モジュール１ｃおよび合波モジュール２ｃを有する。
【０１１３】
分波モジュール１ｃは、不等帯域幅インタリーバ１０ａ、低速分波部１１ｃ、および高速分波部１２ｃを有する。低速分波部１１ｃは、３つの低速信号用の分波器１１１を有する。高速分波部１２ｃは、高速信号用のインタリーバ１２３ならびに高速信号用の分波器１２０ｃおよび１２０ｄを有する。合波モジュール２ｃは、不等帯域幅インタリーバ２０ａ、低速合波部２１ｃ、および高速合波部２２ｃを有する。低速合波部２１ｃは、３つの低速信号用の合波器２１１を有する。高速合波部２２ｃは、高速信号用のインタリーバ２２３ならびに高速信号用の合波器２２０ｃおよび２２０ｄを有する。
【０１１４】
不等帯域幅インタリーバ１０ａおよび２０ａは、図５に示す同じ符号のものと同じであり、図６.Ａおよび６Ｂまたは図９.Ａおよび９Ｂに示すものを使用することができる。また、インタリーバ１２３および２２３、分波器１２０ｃおよび１２０ｄ、合波器２２０ｃおよび２２０ｄは、図１（図５、図１１）の同じ符号のものと同じであり、合波器１１１は、図１１の同じ符号のものと同じである。したがって、これらの詳細な説明は省略する。
【０１１５】
この分波モジュール１ｃの不等帯域幅インタリーバ１０ａには、第３の実施形態と同様に、図１２に示すＷＤＭ信号Ｗ３が入力される。不等帯域幅インタリーバ１０ａの出力ポートＢ２からは、チャネルｃｈ［４ｉ−３］の１０Ｇｂｉｔ／ｓ信号からなる低速信号群Ｗ１ａが、出力ポートＣ１からは、チャネルｃｈ［４ｉ−１］の１０Ｇｂｉｔ／ｓ信号からなる低速信号群Ｗ１ｂが、それぞれ出力される。また、出力ポートＢ１からは、チャネルｃｈ［４ｉ−２］の１０Ｇｂｉｔ／ｓ信号からなる低速信号群Ｗ１ｃが出力される。これら３つの低速信号群Ｗ１ａ〜Ｗ１ｃは、低速分波部１１ｃの３つの低速信号用の分波器１１１により、各波長の光信号に分波される。
【０１１６】
出力ポートＣ２からは、チャネルｃｈ［４ｉ］の４０Ｇｂｉｔ／ｓ信号からなる高速信号群Ｗ２ｂが出力される。この高速信号群Ｗ２ｂは、高速分波部１２ｃの高速信号用のインタリーバ１２３により、さらに奇数チャネルと偶数チャネルとに分波された後、高速信号用の分波器１２０ｃおよび１２０ｄにより、各波長の光信号に分波される。
【０１１７】
３つの分波器１１１ならびに分波器１２０ｃおよび１２０ｄから出力される各波長の光信号は、必要に応じてモジュール３を経由した後、合波モジュール２ｃに入力される。合波モジュール２ｃでは、分波モジュール１ｃと入出力関係を逆にした合波処理が行われ、各波長の光信号は、１つのＷＤＭ信号に合波され出力される。
【０１１８】
このように、不等帯域幅インタリーバ１０ａおよび２０ａを使用しても、低速信号群と高速信号群とに分けて、各信号群を、それぞれに適したデバイスで合分波することができる。その結果、上記第３の実施形態と同じ効果を得ることができる。
【実施例５】
【０１１９】
図１４は、本発明の第５の実施形態による光伝送ノードの構成を示すブロック図である。図１４と図１とを比較すると明らかなように、この第５の実施形態は、図１における低速信号群側の低速分波部１１および低速合波部２１を有しない点を除いて、他の部分は図１と同じである。
【０１２０】
本実施形態の光伝送ノードは、例えば、１０Ｇｂｉｔ／ｓ信号を長距離伝送させる一方、４０Ｇｂｉｔ／ｓ信号をAdd/Dropする場合や、４０Ｇｂｉｔ／ｓ信号のみに補償ノードが必要な場合に使用することができる。
【０１２１】
本実施形態では、図１４の分波モジュール１ｄの不等帯域幅インタリーバ１０に、図１と同じＷＤＭ信号Ｗ０（図２参照）が入力される。したがって、本実施形態では、ＷＤＭ信号Ｗ０が不等帯域幅インタリーバ１０により低速信号群Ｗ１と高速信号群Ｗ２とに分波された後、高速信号群Ｗ２のみが高速分波部１２により各波長の光信号に分波され、必要に応じてモジュール３を経由した後、高速合波部２２により合波される。そして、合波モジュール２ｄの不等帯域幅インタリーバ２０により、再び、低速信号群および高速信号群が合波され、１つのＷＤＭ信号として出力される。
【０１２２】
本実施の形態によっても、高速信号群と低速信号群とを分波するので、高速信号群のみに高速信号に適した高性能デバイスを使用することができるので、コストを抑制した１０Ｇｂｉｔ／ｓおよび４０Ｇｂｉｔ／ｓ混載の伝送システムを実現することができる。
【実施例６】
【０１２３】
図１５は、本発明の第６の実施形態によるよる光伝送ノードの構成を示すブロック図である。この第６の実施形態は、上記第５の実施形態の不等帯域幅インタリーバ１０および２０を、第２の実施形態の不等帯域幅インタリーバ１０ａおよび２０ａ（図５、図６.Ａ，６Ｂ、図９.Ａ，９Ｂ参照）にそれぞれ置き換えたものである。
【０１２４】
したがって、第６の実施形態は、図５に示す第２の実施形態の低速信号群側の低速分波部１１ａおよび低速合波部２１ａが設けられていない点を除いて、他の部分は図５と同じである。
【０１２５】
この光伝送ノードでは、分波モジュール１ｅの不等帯域幅インタリーバ１０ａにより低速信号群Ｗ１ａおよびＷ１ｂならびに高速信号群Ｗ２ａおよびＷ２ｂに分波された後、高速信号群Ｗ２ａおよびＷ２ｂのみが高速分波部１２ａにより各波長の光信号に分波され、必要に応じてモジュール３を経由した後、高速合波部２２ａにより合波される。そして、合波モジュール２ｅの不等帯域幅インタリーバ２０ａにより、再び、低速信号群および高速信号群が合波され、１つのＷＤＭ信号として出力される。
【０１２６】
本実施の形態によっても、上記第５の実施形態を同じ効果を得ることができる。
【実施例７】
【０１２７】
上記第３の実施の形態（図１１参照）についても、上記第５および第６の実施形態と同様に、低速信号側の合分波器を省略することができる。図１６は、上記第３の実施の形態において低速信号側の合分波器を省略した第７の実施形態による光伝送ノードの構成を示すブロック図である。分波モジュール１ｆにおいて図１１の低速分波部１１ｂが設けられていない点、および、合波モジュール２ｆにおいて図１１の低速合波部２１ｂが設けられていない点を除いて、他の部分は図１１と同じである。
【０１２８】
本実施形態においても、第５および第６の実施形態と同様に、ＷＤＭ信号Ｗ３（図１２参照）が、分波モジュール１ｆの不等帯域幅インタリーバ１０により低速信号群および高速信号群に分波された後、高速信号群のみが高速分波部１２ｂにより各波長の光信号に分波され、必要に応じてモジュール３を経由した後、高速合波部２２ｂにより合波される。そして、合波モジュール２ｆの不等帯域幅インタリーバ２０により、再び、低速信号群および高速信号群が合波され、１つのＷＤＭ信号として出力される。
【０１２９】
本実施形態によっても、高速信号用の高性能光合分波器を、ＷＤＭ信号全体の１／４である４０Ｇｂｉｔ／ｓ信号の合分波部（伝送部）にのみ適用すればよいので、コストを抑制した１０Ｇｂｉｔ／ｓおよび４０Ｇｂｉｔ／ｓ混載の伝送システムを実現できる。
【実施例８】
【０１３０】
上記第４の実施形態（図１３参照）についても、低速信号側の合分波器を省略することができる。図１７は、上記第４の実施の形態において低速信号側の合分波器を省略した第８の実施形態による光伝送ノードの構成を示すブロック図である。分波モジュール１ｇにおいて図１３の低速分波部１１ｃが設けられていない点、および、合波モジュール２ｇにおいて図１１の高速分波部２１ｃが設けられていない点を除いて、他の部分は図１１と同じである。
【０１３１】
本実施形態においても、ＷＤＭ信号Ｗ３（図１２参照）が、分波モジュール１ｇの不等帯域幅インタリーバ１０ａにより低速信号群Ｗ１ａ〜Ｗ１ｃおよび高速信号群Ｗ２ｂに分波された後、高速信号群Ｗ２ｂのみが高速分波部１２ｃにより各波長の光信号に分波され、必要に応じてモジュール３を経由した後、高速合波部２２ｃにより合波される。そして、合波モジュール２ｇの不等帯域幅インタリーバ２０ａにより、再び、低速信号群Ｗ１ａ〜Ｗ１ｃおよび高速信号群が合波され、１つのＷＤＭ信号として出力される。
【０１３２】
本実施形態によっても、高速信号用の高性能光合分波器を、ＷＤＭ信号全体の１／４である４０Ｇｂｉｔ／ｓ信号の合分波部（伝送部）にのみ適用すればよいので、コストを抑制した１０Ｇｂｉｔ／ｓおよび４０Ｇｂｉｔ／ｓ混載の伝送システムを実現できる。
【実施例９】
【０１３３】
本発明の第９の実施形態は、ＷＤＭ信号を高速信号群と低速信号群に分波した後、高速信号側に可変分散補償器を配置したものである。
【０１３４】
４０Ｇｂｉｔ／ｓ信号は１０Ｇｂｉｔ／ｓ信号よりも分散トレランスが１／１６と非常に狭く、伝送路や分散補償ファイバの製造バラツキおよび／または温度変化によって４０Ｇｂｉｔ／ｓ信号の分散が、その分散トレランスを超える場合がある。したがって、高速信号側には、可変分散補償器が必要となる。
【０１３５】
図１８から図２２は、高速信号側に可変分散補償器を適用した本発明の第９の実施形態による光伝送ノードの構成を示すブロック図である。
【０１３６】
図１８は、図１と比較すると明らかなように、高速信号側に可変分散補償器５が設けられている点を除いて、他の部分は図１と同じである。図１９は、図１と比較すると明らかなように、高速信号側に可変分散補償器５ａおよび５ｂが設けられている点を除いて、他の部分は図１と同じである。図２０は、図５と比較すると明らかなように、高速信号側に可変分散補償器５ａおよび５ｂが設けられている点を除いて、他の部分は図５と同じである。図２１は、図１１と比較すると明らかなように、高速信号側に可変分散補償器５ｂが設けられている点を除いて、他の部分は図１１と同じである。図２２は、図１３と比較すると明らかなように、高速信号側に可変分散補償器５ｂが設けられている点を除いて、他の部分は図１３と同じである。したがって、これら図１８から図２２の同じ部分についての説明は省略することとする。
【０１３７】
まず、図１８を参照して、本実施形態では、ＷＤＭ信号Ｗ０が、不等帯域幅インタリーバ１０により、低速信号Ｗ１と高速信号群Ｗ２とに分波された後、高速信号群Ｗ２は、可変分散補償器５に入力される。可変分散補償器５は、高速信号群Ｗ２を一括して分散補償する。分散補償された高速信号群Ｗ２は、インタリーバ１２１等に分波された後、合波部２に送られる。
【０１３８】
図１８の構成を用いることにより４０Ｇｂｉｔ／ｓ信号にのみ可変分散補償器を適用すればよいので、コストを抑制した１０Ｇｂｉｔ／ｓおよび４０Ｇｂｉｔ／ｓ混載の伝送システムを実現できる。
【０１３９】
また、図１９では、高速信号群Ｗ２がインタリーバ１２１により奇数チャネルと偶数チャネルとに分波された後、可変分散補償器５ａおよび５ｂによりそれぞれ分散補償される。この構成によっても、上記図１８の構成と同様の作用効果を得ることができる。また、この構成では、可変分散補償器が図１８よりも多く必要となるが、一方で、可変分散補償器５ａおよび５ｂは、可変分散補償器５よりも、周波数間隔を大きくとれるので、その分、製造コストを下げることができる。
【０１４０】
図２０から図２２についても、図１８および図１９と同様に、４０Ｇｂｉｔ／ｓ信号にのみ可変分散補償器が適用され、これにより、コストを抑制した１０Ｇｂｉｔ／ｓおよび４０Ｇｂｉｔ／ｓ混載の伝送システムを実現できる。
【０１４１】
なお、図示は省略するが、図１４から図１７の構成についても、高速信号側に可変分散補償器を適用することができる。
【実施例１０】
【０１４２】
これまでの実施形態では、一般的な中継ノードについて説明したが、第１０の実施形態では、補償ノードについて説明する。図２３から図２７は、本発明の第１０の実施形態による補償ノードの構成を示すブロック図である。
【０１４３】
図２３は、上記第９の実施形態の図１８に対応し、図２４から図２７も、上記第９の実施形態の図１９から図２２にそれぞれ対応する。したがって、対応する図面において同じ構成要素には同じ符号を付し、その説明を省略することとする。
【０１４４】
図２３から図２７において、符号６はゲインイコライザ（ＧＥＱ：Gain Equalizer）であり、各波長（各チャネル）の低速信号および各波長（各チャネル）の高速信号に対して設けられる。また、符号７は、偏波モード分散補償器（ＰＭＤＣ：Polarization Mode Dispersion Compensator）であり、本実施形態では、４０Ｇｂｉｔ／ｓ信号に対してのみ設けられる。ＰＭＤＣ７は、各波長（各チャネル）に設ける必要があるため、分波モジュールと合波モジュールとの間において、分波器により各波長に分波された高速信号に対して適用される。
【０１４５】
本実施形態により、４０Ｇｂｉｔ／ｓ信号にのみ可変分散補償器と偏波モード分散補償器を適用するので、コストを抑制した１０Ｇｂｉｔ／ｓ、４０Ｇｂｉｔ／ｓの混載伝送システムが実現できる。
【０１４６】
なお、可変分散補償器は、省略されてもよい。また、ＧＥＱ６についても、４０Ｇｂｉｔ／ｓ信号には、高速信号用のものを使用し、１０Ｇｂｉｔ／ｓ信号には低速信号用のものを使用してもよい。これによって、それぞれのビットレートに適したデバイスを使用することができ、コストの抑制に寄与する。
【実施例１１】
【０１４７】
第１１の実施形態は、上記第９の実施形態において、低速信号側にも可変分散補償器を設けたものである。
【０１４８】
１０Ｇｂｉｔ／ｓ信号の分散トレランスは４０Ｇｂｉｔ／ｓ信号のそれに比べて大きいが、長距離伝送される場合には、１０Ｇｂｉｔ／ｓ信号も伝送路ファイバ、分散補償ファイバの製造ばらつきおよび／または温度変化の影響を受ける可能性がある。そのため、１０Ｇｂｉｔ／ｓ信号に対しても可変分散補償器が必要になる場合がある。しかしながら、低速信号用可変分散補償器に要求される特性は、高速信号用に要求されるものほど厳しくないので、波長間隔を狭めることにより安価な可変分散補償器を使用でき、あるいは、高速信号と同じ波長間隔のものであれば、安価な可変分散補償器を使用できる。
【０１４９】
図２８から図３０は、本発明の第１１の実施形態による光伝送ノードの構成を示すブロック図である。図２８は、図１８の低速信号側に可変分散補償器８を設けたものであり、図２９は、図１９の低速信号側に可変分散補償器８を設けたものであり、図３０は、図２０の低速信号側に可変分散補償器８ａおよび８ｂを設けたものである。これ以外に、図２１から図２３の低速信号側にも、可変分散補償器を設けることもできる。
【０１５０】
本実施形態により、１０Ｇｂｉｔ／ｓ信号および４０Ｇｂｉｔ／ｓ信号とも、最適な分散補償を選択しつつ、コストを抑制した１０Ｇｂｉｔ／ｓおよび４０Ｇｂｉｔ／ｓの混載した光伝送システムを実現できる。
【０１５１】
なお、図２８から図３０では、ＧＥＱ６が設けられているが、これらＧＥＱ６は省略されてもよい。
【実施例１２】
【０１５２】
第１２の実施形態は、低速信号側にも、偏波モード分散を補償するＰＭＤＣを設けたものである。
【０１５３】
１０Ｇｂｉｔ／ｓ信号の伝送距離が短ければ偏波モード分散を補償する必要性は少ないが、１０Ｇｂｉｔ／ｓ信号を長距離伝送させる場合には、偏波モード分散の補償を行うために、ＰＭＤＣが必要となってくる。しかしながら、１０Ｇｂｉｔ／ｓ信号用のＰＭＤＣも、４０Ｇｂｉｔ／ｓ信号用のものに比べて要求される特性が厳しくないので、４０Ｇｂｉｔ／ｓ用のものよりも安価である。
【０１５４】
図３１から図３３は、本発明の第１２の実施形態による光伝送ノードの構成を示すブロック図である。図３１は、図２３の低速信号側に可変分散補償器８およびＰＭＤＣ９を設けたものであり、図３２は、図２４の低速信号側に可変分散補償器８およびＰＭＤＣ９を設けたものであり、図３３は、図２５の低速信号側に可変分散補償器８ａおよび８ｂならびにＰＭＤＣ９を設けたものである。なお、図３１から図３３において、可変分散補償器８または８ａおよび８ｂは省略することができる。
【０１５５】
本実施の形態によっても、低速信号群には、低速信号用の比較的低スペックで安価なＰＭＤＣ（および可変分散補償器）を使用し、高速信号群には、高速信号用の比較的高スペックのＰＭＤＣ（および可変分散補償器）を使用することができる。これにより、１０Ｇｂｉｔ／ｓおよび４０Ｇｂｉｔ／ｓとも最適な分散補償および偏波モード分散補償を選択しつつ、コストを抑制した１０Ｇｂｉｔ／ｓおよび４０Ｇｂｉｔ／ｓ混載の伝送システムを実現できる。
【０１５６】
なお、これまで述べた実施形態は、１０Ｇｂｉｔ／ｓおよび４０Ｇｂｉｔ／ｓの２つの光信号を例に説明したが、本発明はこれらのビットレートに限定されるものではなく、他のビットレートにも適用可能である。
【０１５７】
また、ビットレート以外に、変調方式（ＲＺ、ＮＲＺ、ＣＳＲＺ等）が異なる場合にも、各波長の光信号のスペクトル幅が異なるので、この場合にも、スペクトル幅の小さな信号と大きな信号を偶数チャネルと奇数チャネルとに交互に割り当てることにより、本発明を適用することができる。
【０１５８】
さらに、上記可変分散補償器は、固定の分散補償器であってもよいし、可変または固定の分散スロープ補償器であってもよい。
【０１５９】
（付記１）偶数チャネル群および奇数チャネル群のいずれか一方の第１チャネル群と、他方の第２チャネル群とを有し、前記第１チャネル群の各チャネルには、信号帯域幅が相対的に大きい第１光信号が割り当て可能であり、前記第２チャネル群の各チャネルには、信号帯域幅が相対的に小さい第２光信号が割り当て可能であり、前記偶数チャネル群には前記第１光信号または第２光信号が割り当てられ、前記第２チャネル群には前記第２光信号が割り当てられる波長分割多重信号を伝送する波長分割多重伝送システムであって、
分波モジュール部および合波モジュール部の少なくとも一方を有し、
前記分波モジュール部は、
入力される前記波長分割多重信号を前記第１チャネル群の光信号と前記第２チャネル群の光信号とに分波して出力する第１インタリーブフィルタ部と、
前記第１インタリーブフィルタ部からの前記第１チャネル群の光信号を分波して出力する第１分波部と、
を備え、
前記合波モジュール部は、
入力される複数の前記第１光信号または前記第２光信号を前記第１チャネル群の光信号に合波して出力する第１合波部と、
前記第１合波部からの前記第１チャネル群の光信号と、複数の前記第２光信号が前記第２チャネル群に配置された光信号とを入力し、これら２つの光信号を合波して前記波長分割多重信号を生成し出力する第２インタリーブフィルタ部と、
を備える波長分割多重伝送システム。
【０１６０】
（付記２）付記１において、
前記分波モジュール部は、前記第１インタリーブフィルタ部からの前記第２チャネル群の光信号を各波長の光信号に分波して出力する第２分波部をさらに備える、波長分割多重伝送システム。
【０１６１】
（付記３）付記１において、
前記合波モジュール部は、入力される複数の前記第２光信号を合波して、前記第２チャネル群の光信号を生成し出力する第２合波部をさらに備える、波長分割多重伝送システム。
【０１６２】
（付記４）付記１において、
前記第１インタリーブフィルタ部は、前記第１チャネル群の光信号を出力する第１ポートおよび前記第２チャネル群の光信号を出力する第２ポートを有し、
前記第１ポートおよび第２ポートのそれぞれは、光を透過する透過帯域の帯域幅と光を透過しない不透過帯域の帯域幅とが異なり、前記第１ポートの透過帯域が前記第１光信号の信号帯域と略一致し、前記第２ポートの透過帯域が前記第２光信号の信号帯域と略一致するように設定されている、
波長分割多重伝送システム。
【０１６３】
（付記５）付記４において、
前記第１チャネル群を構成する各チャネルには、前記第１光信号が配置され、
前記分波モジュール部は、前記第１インタリーブフィルタ部の前記第１ポートと前記第１分波部との間に可変もしくは固定の分散補償器または可変もしくは固定の分散スロープ補償器をさらに備える、
波長分割多重伝送システム。
【０１６４】
（付記６）付記４において、
前記第１チャネル群を構成する各チャネルには、前記第１光信号が配置され、
前記第１分波部は、
前記第１インタリーブフィルタ部の前記第１ポートからの前記第１チャネル群の光信号を、該第１チャネル群を構成する偶数チャネル群の光信号と該第１チャネル群を構成する奇数チャネル群の光信号とに分波して出力する第１インタリーバと、
前記第１インタリーバからの前記偶数チャネル群の光信号をさらに偶数チャネル群の光信号と奇数チャネル群の光信号とに分波して出力する第２インタリーバと、
前記第１インタリーバからの前記奇数チャネル群の光信号をさらに偶数チャネル群の光信号と奇数チャネル群の光信号とに分波して出力する第３インタリーバと、
前記第２インタリーバからの偶数チャネル群および奇数チャネル群の光信号ならびに前記第３インタリーバからの偶数チャネル群および奇数チャネル群の光信号のそれぞれを各波長の光信号に分波する４つの分波器と、
を備える波長分割多重伝送システム。
【０１６５】
（付記７）付記６において、
前記分波モジュール部は、前記第１インタリーバと前記第２インタリーバとの間および前記第１インタリーバと前記第３インタリーバとの間のそれぞれに、可変もしくは固定の分散補償器または可変もしくは固定の分散スロープ補償器をさらに備える、波長分割多重伝送システム。
【０１６６】
（付記８）付記４において、
前記第１チャネル群を構成する偶数チャネル群および奇数チャネル群のいずれか一方には第１光信号が配置され、他方には第２光信号が配置され、
前記第１分波部は、
前記第１インタリーブフィルタ部の第１ポートからの前記第１チャネル群の光信号を、該第１チャネル群の前記偶数チャネル群の光信号と該第１チャネル群の前記奇数チャネル群の光信号とに分波して出力する第１インタリーバと、
前記第１インタリーバからの前記偶数チャネル群または前記奇数チャネル群のうち、前記第１光信号が配置されたチャネル群の光信号をさらに偶数チャネル群の光信号と奇数チャネル群の光信号とに分波して出力する第２インタリーバと、
前記第２インタリーバからの偶数チャネル群および奇数チャネル群の光信号のそれぞれを各波長の光信号に分波する２つの分波器と、
を備える波長分割多重伝送システム。
【０１６７】
（付記９）付記８において、
前記分波モジュール部は、前記第１インタリーバからの前記偶数チャネル群または前記奇数チャネル群のうち、前記第２光信号が配置されたチャネル群の光信号を各波長の光信号に分波する分波器をさらに備える、波長分割多重伝送システム。
【０１６８】
（付記１０）付記８において、
前記分波モジュール部は、前記第１インタリーバと前記第２インタリーバとの間に、可変もしくは固定の分散補償器または可変もしくは固定の分散スロープ補償器をさらに備える、波長分割多重伝送システム。
【０１６９】
（付記１１）付記１において、
前記第２インタリーブフィルタ部は、前記第１チャネル群の光信号を入力する第１ポートおよび前記第２チャネル群の光信号を入力する第２ポートを有し、
前記第１ポートおよび第２ポートのそれぞれは、光を透過する透過帯域の帯域幅と光を透過しない不透過帯域の帯域幅とが異なり、前記第１ポートの透過帯域が前記第１光信号の信号帯域と略一致し、前記第２ポートの透過帯域が前記第２光信号の信号帯域と略一致するように設定されている、
波長分割多重伝送システム。
【０１７０】
（付記１２）付記１１において、
前記第１チャネル群を構成する各チャネルには、前記第１光信号が配置され、
前記第１合波部は、
前記第１チャネル群を構成する偶数チャネル群の光信号と前記第１チャネル群を構成する奇数チャネル群の光信号とを入力し、これら両光信号を合波して前記第１チャネル群の光信号を生成し、前記第１インタリーブフィルタ部の前記第１ポートに出力する第４インタリーバと、
前記第１チャネル群の偶数チャネル群をさらに構成する偶数チャネル群の光信号と奇数チャネル群の光信号とを入力し、これら両光信号を合波して前記第１チャネル群の偶数チャネル群の光信号を生成し、前記第４インタリーバに出力する第５インタリーバと、
前記第１チャネル群の奇数チャネル群をさらに構成する偶数チャネル群の光信号と奇数チャネル群の光信号とを入力し、これら両光信号を合波して前記前記第１チャネル群の奇数チャネル群の光信号を生成し、前記第４インタリーバに出力する第６インタリーバと、
複数の第１光信号を合波し、前記第５インタリーバに入力される偶数チャネル群および奇数チャネル群の光信号をそれぞれ合波して生成する２つの合波器と、
複数の第１光信号を合波し、前記第６インタリーバに入力される偶数チャネル群および奇数チャネル群の光信号をそれぞれ合波して生成する２つの合波器と、
を備える波長分割多重伝送システム。
【０１７１】
（付記１３）付記１において、
前記第１チャネル群を構成する偶数チャネル群および奇数チャネル群のいずれか一方には第１光信号が配置され、他方には第２光信号が配置され、
前記第１合波部は、
前記第１チャネル群の前記偶数チャネル群の光信号と前記奇数チャネル群の光信号とを入力し、これら両光信号を合波して前記第１チャネル群の光信号を生成し、前記第１インタリーブフィルタ部の前記第１ポートに出力する第４インタリーバと、
前記第１チャネル群の前記偶数チャネル群および前記奇数チャネル群のうち、前記第１光信号が配置されたチャネル群をさらに構成する偶数チャネル群の光信号および奇数チャネル群の光信号を入力し、これら両光信号を合波して前記第４インタリーバに出力する第５インタリーバと、
複数の第１光信号を合波し、前記第５インタリーバに入力される前記偶数チャネル群および奇数チャネル群の光信号をそれぞれ生成する２つの合波器と、
を備える波長分割多重伝送システム。
【０１７２】
（付記１４）付記１３において、
前記合波モジュール部は、複数の第２光信号を合波し、前記第１チャネル群の前記偶数チャネル群および前記奇数チャネル群のうち、前記第２光信号が配置されたチャネル群の光信号を生成し、前記第４インタリーバに出力する合波器をさらに備える、波長分割多重伝送システム。
【０１７３】
（付記１５）付記１において、
前記分波モジュール部は、前記第１インタリーブフィルタ部の前記第２チャネル群の光信号の出力側に可変もしくは固定の分散補償器または可変もしくは固定の分散スロープ補償器をさらに備える、波長分割多重伝送システム。
【０１７４】
（付記１６）付記１において、
前記第１インタリーブフィルタ部は、前記第１チャネル群の偶数チャネル群の光信号を出力する第１ポートと、前記第１チャネル群の奇数チャネル群の光信号を出力する第２ポートと、前記第２チャネル群の偶数チャネル群の光信号を出力する第３ポートと、前記第２チャネル群の奇数チャネル群の光信号を出力する第４ポートとを有し、
前記第１ポートから第４ポートのそれぞれは、光を透過する透過帯域の帯域幅と光を透過しない不透過帯域の帯域幅とが異なり、
前記第１ポートの透過帯域が、前記第１チャネル群の前記偶数チャネル群に配置された前記第１光信号の信号帯域と略一致し、前記第２ポートの透過帯域が、前記第１チャネル群の前記奇数チャネル群に配置された前記第１光信号の信号帯域と略一致し、前記第３ポートの透過帯域が、前記第２チャネル群の偶数チャネル群に配置された前記第２光信号の信号帯域と略一致し、前記第４ポートの透過帯域が、前記第２チャネル群の奇数チャネル群に配置された前記第２光信号の信号帯域と略一致するように設定されている、
波長分割多重伝送システム。
【０１７５】
（付記１７）付記１６において、
前記分波モジュール部は、前記前記第１インタリーブフィルタ部の前記第３ポートおよび第４ポートのそれぞれに接続された可変もしくは固定の分散補償器または可変もしくは固定の分散スロープ補償器をさらに備える、波長分割多重伝送システム。
【０１７６】
（付記１８）付記１６において、
前記第１チャネル群を構成する各チャネルには、前記第１光信号が配置され、
前記分波モジュール部は、前記第１インタリーブフィルタ部の前記第１ポートと前記第１分波部との間および前記第２ポートと前記第１分波部との間のそれぞれに、可変もしくは固定の分散補償器または可変もしくは固定の分散スロープ補償器をさらに備える、
波長分割多重伝送システム。
【０１７７】
（付記１９）付記１６において、
前記第１チャネル群を構成する各チャネルには、前記第１光信号が配置され、
前記第１分波部は、
前記第１インタリーブフィルタ部の前記第１ポートからの光信号を、さらに偶数チャネル群の光信号と奇数チャネル群の光信号とに分波して出力する第１インタリーバと、
前記第１インタリーブフィルタ部の前記第２ポートからの光信号を、さらに偶数チャネル群の光信号と奇数チャネル群の光信号とに分波して出力する第２インタリーバと、
前記第１インタリーバからの偶数チャネル群および奇数チャネル群の光信号ならびに前記第２インタリーバからの偶数チャネル群および奇数チャネル群の光信号のそれぞれを各波長の光信号に分波する４つの分波器と、
を備える波長分割多重伝送システム。
【０１７８】
（付記２０）付記１６において、
前記第１チャネル群の偶数チャネル群および奇数チャネル群のいずれか一方には第１光信号が配置され、他方には第２光信号が配置され、
前記第１分波部は、
前記第１インタリーブフィルタ部の前記第１ポートまたは前記第２ポートのうち、前記第１光信号が配置されたチャネル群の光信号を出力するポートからの光信号をさらに偶数チャネル群の光信号と奇数チャネル群の光信号とに分波して出力する第１インタリーバと、
前記第１インタリーバからの前記偶数チャネル群および前記奇数チャネル群の光信号のそれぞれを各波長の光信号に分波する２つの分波器と、
を備える波長分割多重伝送システム。
【０１７９】
（付記２１）付記２０において、
前記第１分波部は、前記第１インタリーブフィルタ部の前記第１ポートまたは前記第２ポートのうち、前記第２光信号が配置されたチャネル群の光信号を出力するポートからの光信号を各波長の光信号に分波する分波器をさらに備える、波長分割多重伝送システム。
【０１８０】
（付記２２）付記２０において、
前記分波モジュール部は、前記第１インタリーブフィルタ部と前記第１インタリーバとの間に可変もしくは固定の分散補償器または可変もしくは固定の分散スロープ補償器をさらに備える、波長分割多重伝送システム。
【０１８１】
（付記２３）付記１において、
前記第２インタリーブフィルタ部は、前記第１チャネル群の偶数チャネル群の光信号を入力する第１ポートと、前記第１チャネル群の奇数チャネル群の光信号を入力する第２ポートと、前記第２チャネル群の偶数チャネル群の光信号を入力する第３ポートと、前記第２チャネル群の奇数チャネル群の光信号を入力する第４ポートとを有し、
前記第１ポートから第４ポートのそれぞれは、光を透過する透過帯域の帯域幅と光を透過しない不透過帯域の帯域幅とが異なり、
前記第１ポートの透過帯域が、前記第１チャネル群の前記偶数チャネル群に配置された前記第１光信号の信号帯域と略一致し、前記第２ポートの透過帯域が、前記第１チャネル群の前記奇数チャネル群に配置された前記第１光信号の信号帯域と略一致し、前記第３ポートの透過帯域が、前記第２チャネル群の偶数チャネル群に配置された前記第２光信号の信号帯域と略一致し、前記第４ポートの透過帯域が、前記第２チャネル群の奇数チャネル群に配置された前記第２光信号の信号帯域と略一致するように設定されている、
波長分割多重伝送システム。
【０１８２】
（付記２４）付記２３において、
前記第１チャネル群を構成する各チャネルには、前記第１光信号が配置され、
前記第１合波部は、
前記第１チャネル群の前記偶数チャネル群をさらに構成する偶数チャネル群および奇数チャネル群のそれぞれの光信号を入力し、これら両光信号を合波して前記第１チャネル群の前記偶数チャネル群の光信号を生成し、前記第１ポートに出力する第４インタリーバと、
前記第１チャネル群の前記奇数チャネル群をさらに構成する偶数チャネル群および奇数チャネル群のそれぞれの光信号を入力し、これら両光信号を合波して前記第１チャネル群の前記奇数チャネル群の光信号を生成し、前記第２ポートに出力する第５インタリーバと、
前記第１チャネル群の前記偶数チャネル群をさらに構成する偶数チャネル群の光信号と、前記第１チャネル群の前記偶数チャネル群をさらに構成する奇数チャネル群の光信号と、前記第１チャネル群の前記奇数チャネル群をさらに構成する偶数チャネル群の光信号と、前記第１チャネル群の前記奇数チャネル群をさらに構成する奇数チャネル群の光信号とを、各波長の複数の第１光信号を合波することによりそれぞれ生成する４つの合波器と、
を備える波長分割多重伝送システム。
【０１８３】
（付記２５）付記２３において、
前記第２インタリーブフィルタ部の前記第３ポートに入力される前記第２チャネル群の偶数チャネル群の光信号を、複数の第２光信号を合波することにより生成し、前記第３ポートに出力する第１合波器と、
前記第２インタリーブフィルタ部の前記第４ポートに入力される前記第２チャネル群の奇数チャネル群の光信号を、複数の第２光信号を合波することにより生成し、前記第４ポートに出力する第２合波器と、
をさらに備える波長分割多重伝送システム。
【０１８４】
（付記２６）付記２３において、
前記第１チャネル群の偶数チャネル群および奇数チャネル群のいずれか一方には第１光信号が配置され、他方には第２光信号が配置され、
前記第１合波部は、
前記第１チャネル群の前記偶数チャネル群および前記奇数チャネル群のうち、前記第１光信号が配置されたチャネル群をさらに構成する偶数チャネル群の光信号および奇数チャネル群の光信号を入力し、これら両光信号を合波して前記第２インタリーブフィルタ部に出力する第５インタリーバと、
複数の第１光信号を合波し、前記第５インタリーバに入力される前記偶数チャネル群および奇数チャネル群の光信号をそれぞれ生成する２つの合波器と、
を備える波長分割多重伝送システム。
【０１８５】
（付記２７）付記２３において、
前記第１チャネル群の偶数チャネル群および奇数チャネル群のいずれか一方には第１光信号が配置され、他方には第２光信号が配置され、
前記合波モジュールは、前記１チャネル群の前記偶数チャネル群および前記奇数チャネル群のうち、前記第１光信号が配置されたチャネル群の光信号を、複数の第２光信号を合波して生成し、前記第２インタリーブフィルタ部に出力する合波器をさらに備える、波長分割多重伝送システム。
【０１８６】
（付記２８）付記２３において、
前記分波モジュールは、前記第２インタリーブフィルタ部の前記第３ポートに入力される前記第２チャネル群の偶数チャネル群の光信号と、前記第４ポートに入力される前記第２チャネル群の奇数チャネル群の光信号とを、複数の第２光信号を合波することによりそれぞれ生成する２つの合波器をさらに備える、波長分割多重伝送システム。
【０１８７】
（付記２９）付記１において、
前記第１光信号は、透過帯域幅Ｆ１を有し、前記第２光信号は、透過帯域幅Ｆ２を有し、前記波長分割多重信号の各チャネルは周波数間隔Ｆ（Ｆ≧（Ｆ１＋Ｆ２）／２）で配置され、
前記第１インタリーブフィルタ部は、
前記波長分割多重信号が入力され、帯域幅２Ｆの透過帯域および不透過帯域が交互に繰り返す透過特性により前記波長分割多重信号をフィルタリングして出力する第１ポートと、該第１ポートと逆の透過特性により前記波長分割多重信号をフィルタリングして出力する第２ポートとを有する第１インタリーバと、
前記第１ポートからの光信号が入力され、帯域幅２Ｆの透過帯域および不透過帯域が交互に繰り返す透過特性により前記第１ポートからの光信号をフィルタリングして出力する第３ポートと、該第３ポートと逆の透過特性により前記第１ポートからの光信号をフィルタリングして出力する第４ポートとを有する第２インタリーバと、
前記第２ポートからの光信号が入力され、帯域幅２Ｆの透過帯域および不透過帯域が交互に繰り返す透過特性により前記第２ポートからの光信号をフィルタリングして出力する第５ポートと、該第５ポートと逆の透過特性により前記第２ポートからの光信号をフィルタリングして出力する第６ポートとを有する第３インタリーバと、
を備え、
前記第１および第３ポートの透過帯域の重複部分が前記第１チャネル群の奇数チャネル群の光信号の信号帯域を含み、前記第１および第４ポートの透過帯域の重複部分が前記第２チャネル群の奇数チャネル群の光信号の信号帯域を含み、前記第２および第５ポートの透過帯域の重複部分が前記第２チャネル群の偶数チャネル群の光信号の信号帯域を含み、前記第２および第６ポートの透過帯域の重複部分が前記第１チャネル群の偶数チャネル群の光信号の信号帯域を含むように、前記第１、第２、および第３インタリーバの透過帯域の中心周波数が前記波長分割多重信号の各チャネルの周波数からシフトしている、
波長分割多重伝送システム。
【０１８８】
（付記３０）付記１において、
前記第１光信号は、透過帯域幅Ｆ１を有し、前記第２光信号は、透過帯域幅Ｆ２を有し、前記波長分割多重信号の各チャネルは周波数間隔Ｆ（Ｆ≧（Ｆ１＋Ｆ２）／２）で配置され、
前記第１インタリーブフィルタ部は、
前記波長分割多重信号が入力され、該波長分割多重信号を２つのポートから出力するカプラと、
前記カプラからの前記波長分割多重信号が入力され、前記第１チャネル群の奇数チャネル群または偶数チャネル群の光信号の信号帯域の中心周波数を中心とした帯域幅Ｆ１の透過帯域が周期４Ｆで繰り返す透過特性により前記波長分割多重信号をフィルタリングして出力する第１ポートと、該第１ポートの透過帯域から周波数２Ｆだけシフトした帯域幅Ｆ１の透過帯域が周期４Ｆで繰り返す透過特性により前記波長分割多重信号をフィルタリングして出力する第２ポートとを有する第１インタリーバと、
前記カプラからの前記波長分割多重信号が入力され、前記第２チャネル群の奇数チャネル群または偶数チャネル群の光信号の信号帯域の中心周波数を中心とした帯域幅Ｆ２の透過帯域が周期４Ｆで繰り返す透過特性により前記波長分割多重信号をフィルタリングして出力する第３ポートと、該第３ポートの透過帯域から周波数２Ｆだけシフトした帯域幅Ｆ２の透過帯域が周期４Ｆで繰り返す透過特性により前記波長分割多重信号をフィルタリングして出力する第４ポートとを有する第２インタリーバと、
を備える波長分割多重伝送システム。
【０１８９】
（付記３１）偶数チャネル群および奇数チャネル群のいずれか一方の第１チャネル群と、他方の第２チャネル群とを有し、前記第１チャネル群の各チャネルには、信号帯域幅が相対的に大きい第１光信号が割り当て可能であり、前記第２チャネル群の各チャネルには、信号帯域幅が相対的に小さい第２光信号が割り当て可能であり、前記偶数チャネル群には前記第１光信号または第２光信号が割り当てられ、前記第２チャネル群には前記第２光信号が割り当てられる波長分割多重信号を伝送する中継ノードであって、
分波モジュール部および合波モジュール部を有し、
前記分波モジュール部は、
入力される前記波長分割多重信号を前記第１チャネル群の光信号と前記第２チャネル群の光信号とに分波して出力する第１インタリーブフィルタ部と、
前記第１インタリーブフィルタ部からの前記第１チャネル群の光信号を分波して出力する第１分波部と、
を備え、
前記合波モジュール部は、
前記第１分波部からの光信号を前記第１チャネル群の光信号に合波して出力する第１合波部と、
前記第１合波部からの前記第１チャネル群の光信号と、複数の前記第２光信号が前記第２チャネル群に配置された光信号とを入力し、これら２つの光信号を合波して前記波長分割多重信号を生成し出力する第２インタリーブフィルタ部と、
を備える中継ノード。
【０１９０】
（付記３２）付記３１において、
前記第１分波部は、前記第１チャネル群の光信号を各波長の光信号に分波し、
前記第１合波部は、前記第１分波部からの各波長の光信号を合波し、
前記第１分波部と前記第１合波部との間に、前記第１チャネル群の各波長の光信号の少なくとも１つに対して、光信号をアッドまたはドロップする少なくとも１つのアッド／ドロップモジュールをさらに備える中継ノード。
【０１９１】
（付記３３）付記３１において、
前記第１分波部は、前記第１チャネル群の光信号を各波長の光信号に分波し、
前記第１合波部は、前記第１分波部からの各波長の光信号を合波し、
前記第１分波部と前記第１合波部との間に、前記第１チャネル群の各波長の光信号の少なくとも１つに対して、等化処理を行う少なくとも１つのゲインイコライザをさらに備える中継ノード。
【０１９２】
（付記３４）付記３１において、
前記第１分波部は、前記第１チャネル群の光信号を各波長の光信号に分波し、
前記第１合波部は、前記第１分波部からの各波長の光信号を合波し、
前記第１分波部と前記第１合波部との間に、前記第１チャネル群の各波長の光信号の少なくとも１つに対して、偏波モード分散補償を行う少なくとも１つの偏波モード分散補償器をさらに備える中継ノード。
【０１９３】
（付記３５）付記３１において、
前記分波モジュール部は、前記第１インタリーブフィルタ部からの前記第２チャネル群の光信号を各波長の光信号に分波する分波器をさらに備え、
前記合波モジュール部は、前記分波モジュール部の前記分波器からの各波長の光信号を合波して前記第２インタリーブフィルタ部に出力する合波器をさらに備える、
中継ノード。
【０１９４】
（付記３６）付記３５において、
前記分波器と前記合波器との間に、前記第２チャネル群の各波長の光信号の少なくとも１つに対して、光信号をアッドまたはドロップする少なくとも１つのアッド／ドロップモジュールをさらに備える中継ノード。
【０１９５】
（付記３７）付記３５において、
前記分波器と前記合波器との間に、前記第２チャネル群の各波長の光信号の少なくとも１つに対して、等化処理を行う少なくとも１つのゲインイコライザをさらに備える中継ノード。
【０１９６】
（付記３８）付記３５において、
前記分波器と前記合波器との間に、前記第２チャネル群の各波長の光信号の少なくとも１つに対して、偏波モード分散補償を行う少なくとも１つの偏波モード分散補償器をさらに備える中継ノード。
【産業上の利用可能性】
【０１９７】
本発明は、ＷＤＭ伝送システムに利用することができ、特に、ＷＤＭ伝送システムの送信端局、中継ノード、受信端局、補償ノード等に利用することができる。
【０１９８】
本発明によると、高機能デバイスによるコスト上昇を抑制した、異なるビットレート光信号が混載された波長分割多重伝送システムを提供することができる。また、本発明によると、高機能デバイスおよび各種補償デバイスによるコスト上昇を抑制した、異なるビットレートの光信号が混載された波長分割多重伝送システムを提供することができる。さらに、本発明によると、それぞれのビットレートに最適な波長及び偏波モード分散補償方法を適用可能な、異なるビットレートの光信号が混載された波長分割多重伝送システムを提供することができる。
【図面の簡単な説明】
【０１９９】
【図１】本発明の第１の実施形態による光伝送ノードの構成を示すブロック図である。
【図２】ＷＤＭ信号Ｗ０を構成する各波長の光信号の配置を示す。
【図３．Ａ】４０Ｇｂｉｔ／ｓのＷＤＭ伝送システムにおいて、光信号間の周波数間隔を５０ＧＨｚ、７５ＧＨｚ、および１００ＧＨｚに変化させた場合のフィルタ帯域幅とＱ値（Quality Factor）との関係を示すグラフである。
【図３．Ｂ】ビットレートおよび波長間隔と周波数利用効率との関係を示す表である。
【図４】不等帯域幅インタリーバの透過特性およびＷＤＭ信号が不等帯域幅インタリーバによりフィルタリングされる様子を示す。
【図５】本発明の第２の実施形態による光伝送ノードの構成を示すブロック図である。
【図６．Ａ】分波モジュールの不等帯域幅インタリーバの一構成例を示すブロック図である。
【図６．Ｂ】合波モジュールの不等帯域幅インタリーバの一構成例を示すブロック図である。
【図７】不等帯域幅インタリーバの透過特性およびＷＤＭ信号が不等帯域幅インタリーバによりフィルタリングされる様子を示す。
【図８】インタリーバの組み合わせの透過特性およびＷＤＭ信号が不等帯域幅インタリーバによりフィルタリングされる様子を示す。
【図９．Ａ】分波モジュールの不等帯域幅インタリーバの一構成例を示すブロック図である。
【図９．Ｂ】合波モジュールの不等帯域幅インタリーバの一構成例を示すブロック図である。
【図１０】図９.Ａに示す２つのインタリーバの透過特性ならびにＷＤＭ信号が２つのインタリーバによりフィルタリングされる様子を示す。
【図１１】本発明の第３の実施形態による光伝送ノードの構成を示すブロック図である。
【図１２】本発明の第３の実施形態の分波モジュールに入力されるＷＤＭ信号の信号配置例を示す。
【図１３】本発明の第４の実施形態による光伝送ノードの構成を示すブロック図である。
【図１４】本発明の第５の実施形態による光伝送ノードの構成を示すブロック図である。
【図１５】本発明の第６の実施形態によるよる光伝送ノードの構成を示すブロック図である。
【図１６】本発明の第７の実施形態による光伝送ノードの構成を示すブロック図である。
【図１７】本発明の第８の実施形態による光伝送ノードの構成を示すブロック図である。
【図１８】高速信号側に可変分散補償器を適用した本発明の第９の実施形態による光伝送ノードの構成を示すブロック図である。
【図１９】高速信号側に可変分散補償器を適用した本発明の第９の実施形態による光伝送ノードの構成を示すブロック図である。
【図２０】高速信号側に可変分散補償器を適用した本発明の第９の実施形態による光伝送ノードの構成を示すブロック図である。
【図２１】高速信号側に可変分散補償器を適用した本発明の第９の実施形態による光伝送ノードの構成を示すブロック図である。
【図２２】高速信号側に可変分散補償器を適用した本発明の第９の実施形態による光伝送ノードの構成を示すブロック図である。
【図２３】本発明の第１０の実施形態による補償ノードの構成を示すブロック図である。
【図２４】本発明の第１０の実施形態による補償ノードの構成を示すブロック図である。
【図２５】本発明の第１０の実施形態による補償ノードの構成を示すブロック図である。
【図２６】本発明の第１０の実施形態による補償ノードの構成を示すブロック図である。
【図２７】本発明の第１０の実施形態による補償ノードの構成を示すブロック図である。
【図２８】本発明の第１１の実施形態による光伝送ノードの構成を示すブロック図である。
【図２９】本発明の第１１の実施形態による光伝送ノードの構成を示すブロック図である。
【図３０】本発明の第１１の実施形態による光伝送ノードの構成を示すブロック図である。
【図３１】本発明の第１２の実施形態による光伝送ノードの構成を示すブロック図である。
【図３２】本発明の第１２の実施形態による光伝送ノードの構成を示すブロック図である。
【図３３】本発明の第１２の実施形態による光伝送ノードの構成を示すブロック図である。
【図３４．Ａ】高速用光合分波器および低速用光合分波器の透過特性を示すグラフである。
【図３４．Ｂ】高速用光合分波器および低速用光合分波器の中心波長のずれに対するＱ値劣化を示すグラフである。
【符号の説明】
【０２００】
１  分波モジュール
２  合波モジュール
３  Add／Dropモジュール群
１０、２０  不等帯域幅インタリーバ
１１  低速分波部
１２  高速分波部
２１  低速合波部
２２  高速合波部
１１０  分波器
２１０  合波器
１２１−１２３、２２１−２２３  インタリーバ                             
【図１】
2005065019.tif 000003
【図２】
2005065019.tif 000004
【図３．Ａ】
2005065019.tif 000005
【図３．Ｂ】
2005065019.tif 000006
【図４】
2005065019.tif 000007
【図５】
2005065019.tif 000008
【図６．Ａ】
2005065019.tif 000009
【図６．Ｂ】
2005065019.tif 000010
【図７】
2005065019.tif 000011
【図８】
2005065019.tif 000012
【図９．Ａ】
2005065019.tif 000013
【図９．Ｂ】
2005065019.tif 000014
【図１０】
2005065019.tif 000015
【図１１】
2005065019.tif 000016
【図１２】
2005065019.tif 000017
【図１３】
2005065019.tif 000018
【図１４】
2005065019.tif 000019
【図１５】
2005065019.tif 000020
【図１６】
2005065019.tif 000021
【図１７】
2005065019.tif 000022
【図１８】
2005065019.tif 000023
【図１９】
2005065019.tif 000024
【図２０】
2005065019.tif 000025
【図２１】
2005065019.tif 000026
【図２２】
2005065019.tif 000027
【図２３】
2005065019.tif 000028
【図２４】
2005065019.tif 000029
【図２５】
2005065019.tif 000030
【図２６】
2005065019.tif 000031
【図２７】
2005065019.tif 000032
【図２８】
2005065019.tif 000033
【図２９】
2005065019.tif 000034
【図３０】
2005065019.tif 000035
【図３１】
2005065019.tif 000036
【図３２】
2005065019.tif 000037
【図３３】
2005065019.tif 000038
【図３４．Ａ】
2005065019.tif 000039
【図３４．Ｂ】
2005065019.tif 000040